(57)【特許請求の範囲】
【請求項１】
装身具短手方向に突出したプッシュボタンのボタン側係合部と中折れ部材に設けた中折れ部材側係合部との係合により装身具を所定の長さに設定し且つ前記プッシュボタンの押圧操作により前記ボタン側係合部と前記中折れ部材側係合部との係合を解除する中留機構を備え、
この中留機構に、装身具の長さの微調整を行う装身具長さ微調整手段を設けた装身具の中留構造であって、
この装身具長さ微調整手段は、装身具の一端が固定され且つ装身具の長手方向に滑動可能なスライド板を有し、このスライド板に、前記プッシュボタンのボタン側係合手段が係脱可能に係合するスライド板側係合手段を設けて構成される装身具の中留構造。
【請求項２】
前記スライド板が前記プッシュボタンと重なり合う請求項１に記載の装身具の中留構造。
【請求項３】
前記プッシュボタンの前記ボタン側係合手段がスライド板側に突出する係合突起であり、前記スライド板側係合手段が、前記スライド板に設けた開口部の装身具長手方向に沿った少なくとも一辺の縁部に形成されて前記係合突起が係脱可能に係合する係合歯部である請求項１、あるいは２のいずれかに記載の装身具の中留構造。
【請求項４】
前記プッシュボタンの前記ボタン側係合手段が、前記プッシュボタンに形成したねじ孔に係合突起形成体を螺合して、この係合突起形成体の係合突起部をスライド板側に突出させて前記係合突起とした構成である請求項１から３のいずれかに記載の装身具の中留構造。
【請求項５】
中留枠に組み込まれて前記プッシュボタンを装身具短手方向から挿入し移動可能に保持するプッシュボタン保持部材の面部に挿入孔を設けて、この挿入孔から前記係合突起形成体を前記プッシュボタンの前記ねじ孔に螺合するようにした請求項４記載の装身具の中留構造。
【請求項６】
前記係合歯部の歯形状が、平面視でラチェット歯、山歯、谷歯、方形歯のいずれか１つである請求項３から５のいずれかに記載の装身具の中留構造。
【請求項７】
前記係合歯部を、互いに向きが逆のラチェット歯をそれぞれ装身具長手方向に複数並べて構成した請求項３から５のいずれかに記載の装身具の中留構造。
【請求項８】
前記中留機構が、両方のプッシュボタンの係合突起がスライド板の係合歯部に噛み合うようにした両プッシュ中留構成である請求項１から７のいずれかに記載の装身具の中留構造。
【請求項９】
前記中留機構が、片方のプッシュボタンの係合突起がスライド板の係合歯部に噛み合うようにした両プッシュ中留構成である請求項１から７のいずれかに記載の装身具の中留構造。
【請求項１０】
前記中留機構が、片方のプッシュボタンのみの係合突起がスライド板の係合歯部に噛み合うようにした片プッシュ中留構成である請求項１から７のいずれかに記載の装身具の中留構造。
【請求項１１】
前記中折れ部材が複数折れ構成である請求項１から１０のいずれかに記載の装身具の中留構造。
【請求項１２】
前記中折れ部材が、観音開き構成である請求項１から１０のいずれかに記載の装身具の中留構造。
【請求項１３】
前記中留機構をシングル・ロックタイプの装身具構成に設けた請求項１から１０のいずれかに記載の装身具の中留構造。
【請求項１４】
中留枠と共にベルトが挿通する開口部を形成し且つこの開口部に挿入されたベルトの係止孔に係脱可能に係止する突棒を有する表板を備え且つベルト短手方向に突出したプッシュボタンのボタン側係合部と前記突棒との係合により前記ベルトを所定の長さに設定し且つ前記プッシュボタンの押圧操作により前記ボタン側係合部と前記突棒との係合を解除する中留機構と、前記ベルトの一端が固定され且つベルトの長手方向に滑動可能なスライド板を有し、このスライド板に、前記プッシュボタンのボタン側係合手段が係脱可能に係合する  スライド板側係合手段を設けて構成した長さ微調整手段とを備えたことを特徴とする装身具の中留構造。
【請求項１５】
前記プッシュボタンの前記ボタン側係合手段がスライド板側に突出する係合突起であり、前記スライド板側係合手段が、前記スライド板に設けた開口部の装身具長手方向に沿った少なくとも一辺の縁部に形成されて前記係合突起が係脱可能に係合する係合歯部である請求項１４に記載の装身具の中留構造。
【発明の詳細な説明】
【０００１】
【発明の属する技術分野】
本発明は、身体に巻回されて装着される装身具の構造に係わり、特に、腕時計、ブレスレッド等の手首に巻回される装身具、ネックレス等の首に巻回される装身具、あるいはズボンのベルト等の腰に巻回される装身具に適し、且つ朝夕で僅かに異なる手首、首、あるいは腰の微妙な太さの変化にも追従して、その長さを微調整できる装身具の中留構造に関する。
【０００２】
【従来の技術】
従来の装身具としての時計バンド構造の中留構造におけるバンド長さ調整は、図３６に示すように時計バンドの駒１７０同志を連結するアジャストピン１７１をピンセットのような工具１７２を用いて抜き、駒１７０を外して、再び駒１７０同志をアジャストピン１７１で連結して、外した駒１７０の長さ分だけ、バンド長さを短くする、あるいは、アジャストピン１７１を外して切り離した駒１７０の間に、別の駒１７０を介入して隣り合う駒１７０同志をアジャストピン１７１で結合して介入した別の駒１７０の長さ分だけ、バンド長さを長くすることで行っていた。
【０００３】
また、従来のバンド長さ調整を備えた時計バンド構造としては、図３７に示すように中折れ部材１８０を、２枚の連結板１８１、１８２をそれぞれの端部で枢着して構成し、また、長さ調整板１８３を、これの板本体１８３ａのバンド短手方向に一対の側壁部１８４を設けて、これらの側壁部１８４にバンド長手方向に所定のピッチで複数の調整孔１８５を設けて構成し、前記中折れ部材１８０の連結板１８１を一方の時計バンド１８６の端部の連かん駒１８６Ａに連結し、他方の時計バンド１８７の端部の連かん駒１８７Ａに前記長さ調整板１８３を連結し、連かん駒１８７Ａの端部に配したばね棒１８９を前記長さ調整板１８３の調整孔１８５に係脱可能に係止したものがある。
【０００４】
そして、この時計バンド構造において、バンド長さの調整はばね棒１８９をピンセット等の工具を用いて前記長さ調整板１８３の調整孔１８５から外し、他の調整孔１８５に係止することにより行われていた。
【０００５】
【発明が解決しようとする課題】
しかしながら、図３６に示すように時計バンドの各駒１７０のアジャストピン１７１を抜き、駒１７０の着脱でバンド長さの調整を行う長さ調整機構にあっては、着脱される駒１７０の長さ分しかバンド長さを調整できないので、ユーザーが腕時計を装着した時、個々のユーザーが有するバンドの緩詰の好みに合ったバンド長さの微調整ができなかった。このために、腕時計の装着感が悪いものになるという問題点があった。また、朝夕で手首の太さが変化するため、ユーザーが十分な装着感を得るためには、ユーザー自身で簡単に朝夕で長さ調整が行われることが望まれるが、図３６に示す長さ調整機構では、バンド長さを調整するにはピンセットのような工具と、作業の熟練が必要であり、ユーザーが簡単に行えるものではなかった。
【０００６】
また、上記した長さ調整板１８３の端部に設けたバネ棒１８９を前記長さ調整板１８３の調整孔１８５に係脱可能に係止する長さ調整機構にあっては、図３６に示す長さ調整機構よりは、微かな長さ調整ができるものの、バンド長さの調整の都度、ばね棒１８９を外し、他の調整孔１８５に係止しなければならず、この作業にはピンセットのような工具と作業の熟練が必要であり、ユーザーが簡単に行えるものではなかった。また、前記調整孔１８５間のピッチを小さくすることは、加工上限界があり、よって、極くわずかな長さ調整ができるものではなかった。このようなことから、バンド長さの微調整機構を備えた時計バンド構造の出現が望まれていた。
【０００７】
本発明は、上記の問題点に着目して成されたものであり、その目的とするところは、朝夕で僅かに異なる手首等の微妙な太さの変化にも追従して、その長さを容易に微調整できる装身具の中留構造を提供することにある。
【０００８】
【課題を解決するための手段】
上記目的を達成するために、請求項１の発明に係わる装身具の中留構造は、装身具短手方向に突出したプッシュボタンのボタン側係合部と中折れ部材に設けた中折れ部材側係合部との係合により装身具を所定の長さに設定し且つ前記プッシュボタンの押圧操作により前記ボタン側係合部と前記中折れ部材側係合部との係合を解除する中留機構を備え、この中留機構に、装身具の長さの微調整を行う装身具長さ微調整手段を設けたことを特徴とする。
【０００９】
かかる構成により、プッシュボタン操作による中留機構と装身具長さ微調整手段の一体化を図ることが可能になる。そして、装身具長さ微調整手段により、装身具の長さの微調整を行なうことで、朝夕で僅かに異なる手首等の微妙な太さの変化にも追従して、装身具の長さを容易に微調整できる。
【００１０】
また、さらに請求項１の発明に係わる装身具の中留構造は、この装身具長さ微調整手段を、装身具の一端が固定され且つ装身具の長手方向に滑動可能なスライド板を有し、このスライド板に、前記プッシュボタンのボタン側係合手段が係脱可能に係合するスライド板側係合手段を設けて構成した。
【００１１】
かかる構成により、プッシュボタン操作による中留機構と装身具長さ微調整手段の一体化を図ることが可能になる。そして、前記プッシュボタンを操作して、または操作することなしに、前記ボタン側係合手段をスライド板側係合手段より外して、前記スライド板を移動して所定の長さの調整後に、前記プッシュボタンの前記ボタン側係合手段をスライド板側係合手段に係合し装身具長さの微調整を行なうことで、朝夕で僅かに異なる手首等の微妙な太さの変化にも追従して、装身具の長さを容易に微調整できる。
【００１２】
また、上記目的を達成するために、請求項２の発明に係わる装身具の中留構造は、請求項１記載の装身具の中留構造において、前記スライド板が前記プッシュボタンと重なり合う。
【００１３】
かかる構成により、上記した請求項１の発明の作用と同様な作用を奏し得るばかりか、中留機構の装身具短手方向の幅、装身具長手方向の長さを短くすることができて、中留機構の小型化を図り得る。
【００１４】
また、上記目的を達成するために、請求項３の発明に係わる装身具の中留構造は、請求項１又は請求項２記載の装身具の中留構造において、前記プッシュボタンの前記ボタン側係合手段がスライド板側に突出する係合突起であり、前記スライド板側係合手段が、前記スライド板に設けた開口部の装身具長手方向に沿った少なくとも一辺の縁部に形成されて前記係合突起が係脱可能に係合する係合歯部である。
【００１５】
かかる構成により、上記した請求項１の発明の作用と同様な作用を奏し得るばかりか、前記プッシュボタンの前記ボタン側係合手段がスライド板側に突出する係合突起であり、前記スライド板側係合手段が、このスライド板に設けた開口部の装身具長手方向に沿った少なくとも一辺の縁部に形成されて前記係合突起が係脱  可能に係合する係合歯部であるため、前記プッシュボタンの係合突起と前記スライド板の係合歯部との係合が、前記プッシュボタンと前記スライド板の中留機構からの抜け止め、及び装身具長さ微調整における係合を兼ねるようになり、前記スライド板以外に何ら部品点数を増やすことなく、安価に、プッシュボタン操作による中留機構に装身具長さ微調整手段を一体化することができる。
【００１６】
また、前記スライド板の係合歯部の歯形状を細かくすればするほど、前記スライド板をわずかに動かしても、その都度前記係合歯部に係合できるので、より微妙な装身具長さ微調整ができる。そして、前記スライド板の係合歯部の歯形状は、機械加工の限界内でいくらでも細かくすることができるので、プッシュボタン操作による中留機構に一体化された装身具長さ微調整手段は、朝夕でわずかに変わるユーザーの手首等の太さの変化にも追従する、極めてわずかな微調整が可能となる。
【００１７】
また、上記目的を達成するために、請求項４の発明に係わる装身具の中留構造は、請求項１から３のいずれかに記載の装身具の中留構造において、前記プッシュボタンの前記ボタン側係合手段が、前記プッシュボタンに形成したねじ孔に係合突起形成体を螺合して、この係合突起形成体の係合突起部をスライド板側に突出させて前記係合突起とした構成である。
【００１８】
かかる構成により、上記した請求項１の発明の作用と同様な作用を奏し得るばかりか、係合突起形成体をプッシュボタンのねじ孔に捩じ込んで、この係合突起形成体の係合突起部をスライド板側に突出させて係合突起とすることが可能になって、後組みが可能になる。このために、係合突起の形成を削り出しや圧入で行  うものに比べて作業性が良好になり、コストを低減することが可能になるし、また、係合突起の取り外しが可能になる。
【００１９】
また、上記目的を達成するために、請求項５の発明に係わる装身具の中留構造は、請求項４記載の装身具の中留構造において、中留枠に組み込まれて前記プッシュボタンを装身具短手方向に移動可能に保持するプッシュボタン保持部材の面部に挿入孔を設けて、この挿入孔から前記プッシュボタンの前記ねじ孔に前記係合  突起形成体を螺合するようにした。
【００２０】
かかる構成により、上記した請求項４の発明の作用と同様な作用を奏し得るばかりか、中留枠にスライド板を挿入し、中留枠にプッシュボタン保持部材を組み付け、中留枠の側方からプッシュボタンを挿入した後に、すなわち、中留枠に、スライド板、プッシュボタン保持部材及びプッシュボタンを組み付けた後に、挿入  孔からプッシュボタンのねじ孔に、係合突起を形成すべく係合突起形成体を螺合して、この係合突起形成体を組み込むことが可能になるし、特に、プッシュボタンを中留枠の側方から挿入することが可能になる。
【００２１】
このために、中留機構の組立てが簡単になり、作業性が良好になり、コストを低減することが可能になる。
【００２２】
また、上記目的を達成するために、請求項６の発明に係わる装身具の中留構造は、請求項３から５のいずれかに記載の装身具の中留構造において、前記係合歯部の歯形状が、平面視でラチェット歯、山歯、谷歯、方形歯のいずれか１つである。
【００２３】
かかる構成により、上記した請求項４の発明の作用と同様な作用を奏し得るばかりか、歯形状を選択することにより、ユーザーの用途に応じて装身具長さ微調整手段を種々様々に変化させることができる。
【００２４】
すなわち、係合歯部の歯形状をラチェット歯にすると、スライド板は、プッシュボタンとの係合により一方向にはロックされるが、他方向には自由に動けるようになる。よって、例えば、装身具を伸ばしたい場合には、プッシュボタンを押圧しながら装身具を引っ張り、スライド板を移動させて装身具を伸ばすことができるように、かつ装身具を縮めたい場合には、プッシュボタンを操作することなく、装身具を押し込んで縮めることができるように設定することができる。すると、ユーザーが前記プッシュボタンを操作しない限り、装身具は伸びることがないので、ユーザーの意図に反して不用意に装身具が伸びて手首より脱落することがないと共に、装身具を縮めたい場合は、装身具を押し込むだけで簡単に縮めることができるようになる。
【００２５】
また、前記係合歯部の歯形状を山歯、谷歯のいずれかにすると、装身具を引っ張る、あるいは押し込むことにより、プッシュボタンを何ら操作することなくスライド板を移動させることができるので、装身具を伸ばす、あるいは縮める場合双方とも、容易に装身具長さの微調整ができるようになる。
【００２６】
また、前記係合歯部の歯形状を方形歯にすると、装身具を伸ばす、あるいは縮める場合双方とも、プッシュボタンを押圧させるように設定することができる。
【００２７】
また、前記係合歯部の歯形状が方形歯である場合には、一方及び他方のプッシュボタンに設けられる一方及び他方の係合突起は一方及び他方の方形歯に係合する四角形状にすることにより、これら一方及び他方の係合突起は点対称を成し、一方及び他方のプッシュボタンは、同じ形状になるために一種類で共用できるため、部品点数を減らして安価に製造できる。
【００２８】
また、上記目的を達成するために、請求項７の発明に係わる装身具の中留構造は、請求項３から５のいずれかに記載の装身具の中留構造において、前記係合歯部を、互いに向きが逆のラチェット歯をそれぞれ装身具長手方向に複数並べて構成した。
【００２９】
かかる構成により、上記した請求項４の発明の作用と同様な作用を奏し得るばかりか、前記ラチェット歯の歯の向きを逆にすれば、装身具を縮めたい場合にのみ、プッシュボタンを押圧させるように設定することもできる。
【００３０】
また、前記係合歯部を、互いに向きが逆のラチェット歯をそれぞれ装身具長手方向に複数並べて構成すれば、一方のプッシュボタンを押圧すれば、装身具を伸ばす（あるいは縮める）ことができ、他方のプッシュボタンを押圧すれば、装身具を縮める（あるいは伸ばす）ことができるようになり、ユーザーが、一方及び他方のプッシュボタンのいずれかを選んで押圧し、装身具を伸ばしたり縮めたりするように設定することができる。
【００３１】
さらに、一方及び他方の係合突起は点対称になって、一方及び他方のプッシュボタンは同じ形状になり、一種類で共用できるため、部品点数を減らして安価に製造できる。
【００３２】
また、上記目的を達成するために、請求項８の発明に係わる装身具の中留構造は、請求項１から７のいずれかに記載の装身具の中留構造において、前記中留機構が、両方のプッシュボタンの係合突起がスライド板の係合歯部に噛み合うようにした両  プッシュ中留構成である。
【００３３】
かかる構成により、上記した請求項１の発明の作用と同様な作用を奏し得るばかりか、プッシュボタン操作による中留機構に装身具長さ微調整手段を一体化することができ、かつ装身具長さの微調整を容易に行うことができる。
【００３４】
また、上記目的を達成するために、請求項９の発明に係わる装身具の中留構造は、請求項１から７のいずれかに記載の装身具の中留構造において、前記中留機構が、片方のプッシュボタンの係合突起がスライド板の係合歯部に噛み合うようにした両プッシュ中留構成である。
【００３５】
かかる構成により、上記した請求項１の発明の作用と同様な作用を奏し得るばかりか、プッシュボタン操作による中留機構に装身具長さ微調整手段を一体化することができ、かつ装身具長さの微調整を容易に行うことができる。
【００３６】
また、上記目的を達成するために、請求項１０の発明に係わる装身具の中留構造は、請求項１から７のいずれかに記載の装身具の中留構造において、前記中留機構が、片方のプッシュボタンのみの係合突起がスライド板の係合歯部に噛み合うようにした片プッシュ中留構成である。
【００３７】
かかる構成により、上記した請求項１の発明の作用と同様な作用を奏し得るばかりか、プッシュボタン操作による中留機構に装身具長さ微調整手段を一体化することができ、かつ装身具長さの微調整を容易に行うことができる。
【００３８】
また、上記目的を達成するために、請求項１１の発明に係わる装身具の中留構造は、請求項１から１０のいずれかに記載の装身具の中留構造において、前記中折れ部材が複数折れ構成である。
【００３９】
かかる構成により、上記した請求項１の発明の作用と同様な作用を奏し得るばかりか、プッシュボタン操作による中留機構と装身具長さ微調整手段の一体化を実現することができ、従来の中留機構とはほぼ同じ製品化が可能になる。
【００４０】
また、上記目的を達成するために、請求項１２の発明に係わる装身具の中留構造は、請求項１から１０のいずれかに記載の装身具の中留構造において、前記中折れ部材が、観音開き構成である。
【００４１】
かかる構成により、上記した請求項１の発明の作用と同様な作用を奏し得るばかりか、プッシュボタン操作による中留機構と装身具長さ微調整手段の一体化を実現することができ、従来の中留機構とはほぼ同じ製品化が可能になる。
【００４２】
また、上記目的を達成するために、請求項１３の発明に係わる装身具の中留構造は、請求項１から１０のいずれかに記載の装身具の中留構造において、前記中留機構をシングル・ロックタイプの装身具構成に設けた。
【００４３】
かかる構成により、上記した請求項１の発明の作用と同様な作用を奏し得るばかりか、従来の中留機構とはほぼ同じ製品化が可能になる。
【００４４】
また、上記目的を達成するために、請求項１４の発明に係わる装身具の中留構造は、中留枠と共に装身具が挿通する開口部を形成し且つこの開口部に挿入されたベルトの係止孔に係脱可能に係止する突棒を有する表板を備え且つベルト短手方向に突出したプッシュボタンのボタン側係合部と前記突棒との係合により前記ベルトを所定の長さに設定し且つ前記プッシュボタンの押圧操作により前記ボタン側係合部と前記突棒との係合を解除する中留機構と、前記ベルトの一端が固定され且つベルトの長手方向に滑動可能なスライド板を有し、このスライド板に、前記プッシュボタンのボタン側係合手段が係脱可能に係合するスライド板側係合手段を設けて構成した長さ微調整手段とを備えたことを特徴とする。
【００４５】
かかる構成により、ベルトを腰回りに沿わせて、このベルトの先部を前記開口部に挿通して表板を中留枠に重ねることにより、突棒をベルトの係止孔に係脱可能に係止すると共に、この突棒をボタン側係合部に係合してベルトを中留機構に連結してベルトを所定の長さに設定し、また、ベルトを外す場合には、プッシュボタンの押圧操作によりボタン側係合部と突棒との係合を解除し、前記表板を拡開して突棒をベルトの係止孔より外して行う。
【００４６】
また、前記プッシュボタンを操作して、または操作することなしに、前記ボタン側係合手段をスライド板側係合手段より外して、前記スライド板を移動してベルトの所定の長さの調整後に、前記プッシュボタンの前記ボタン側係合手段をスライド板側係合手段に係合しベルト長さの微調整を行なうことで、例えば、食後などのように、腰回りが太くなったとき、ズボンを装着したまま、ベルトを僅かに緩めることができる。
【００４７】
このように、プッシュボタン操作による中留機構とベルト長さ微調整手段の一体化を図ることが可能になるし、朝夕で僅かに異なる腰回りの微妙な太さの変化にも追従して、ベルトの長さを容易に微調整できる。
【００４８】
また、上記目的を達成するために、請求項１５の発明に係わる装身具の中留構造は、請求項１４記載の装身具の中留構造において、前記プッシュボタンの前記ボタン側係合手段がスライド板側に突出する係合突起であり、前記スライド板側係合手段が、前記スライド板に設けた開口部の装身具長手方向に沿った少なくとも一辺の縁部に形成されて、前記係合突起が係脱可能に係合する係合歯部である。
【００４９】
かかる構成により、上記した請求項１４の発明の作用と同様な作用を奏し得る。
【００５０】
【発明の実施の形態】
以下、本発明の実施例を図面に基づいて詳細に説明する。
【００５１】
（実施例１）
本発明に係わる装身具の中留構造の実施例１として時計バンド構造の中留構造について図１乃至図８を参照して説明する。
図１は本発明に係わる装身具の中留構造の実施例１の一部省略した斜視図、図２は同中留構造の分解状態の斜視図、図３は同中留構造の装身具長手方向の立て断面図、図４は図３のＡ−Ａ線に沿う断面図、図５の（１）は中留枠の表側から見た斜視図、図５の（２）は中留枠の裏側から見た斜視図、図６はプッシュボタン保持部材の斜視図、図７はスライド板の斜視図、図８はプッシュボタンの斜視図である。
【００５２】
装身具である時計バンド構造は、図１に示すように腕時計（図示せず）の一方のバンド取付部（図示せず）に連結された一方の時計バンド１と、腕時計の他方のバンド取付部（図示せず）に連結された他方の時計バンド２と、中折れ部材５と、バンド長さ微調整手段（装身具長さ微調整手段）を備えた中留機構６とから構成されている。
【００５３】
前記中折れ部材５は、中板３とこの中板３の端部に回動可能に連結された外板４とから構成されている。前記中板３の端部には連結ピン保持部７、８が形成してあり、また、中板３の表側には中折れ部材側係合部である係合爪９が植設してある。この係合爪９は軸部９ａの端部に傘部９ｂを形成して、この軸部９ａの部分が係止部にしてある。
【００５４】
また、前記外板４は、前記中板３が挿入される挿入孔部１０を有する枠状体であり、その一端部に一対の連結片部１１を、他端部に連結ピン保持部１２をそれぞれ有しており、連結片部１１の対向面には係止孔１１ａが形成してある。
【００５５】
そして、前記中板３は、その一方の連結ピン保持部７が保持した連結ピン１３を、一方の時計バンド１の端部の連かん駒１４に回転可能に係合して、この一方の時計バンド１に連結してあり、前記中板３の他端部は、その他方の連結ピン保持部８が保持した連結ピン１５を、前記外板４の連結片部１１の係止孔１１ａに回転可能に係合して、この外板４に連結してある。
【００５６】
前記中留機構６は、図２に示すように中留枠１６とプッシュボタン保持部材１７とスライド板１８とプッシュボタン１９、２０と２個のスプリング２１とから構成してある。
【００５７】
そして、前記中留枠１６は、図２及び図５の（１）、（２）に示すように表面部１６ａが曲面に成された枠本体２２を有しており、この枠本体２２のバンド短手方向の両端部には互いに対向する端壁部２２Ａ、２２Ｂが形成してあり、これら端壁部２２Ａ、２２Ｂの中央部にはボタン挿入凹部２３とこのボタン挿入凹部２３を挟んだ両側方に位置する座面部２４、２５とが形成してあり、座面部２４、２５にはそれぞれ圧入孔２６が形成してあって、これらの圧入孔２６にはかしめ用ピン２６Ａが圧入されるものである。また、前記端壁部２２Ａ、２２Ｂの一端側にはそれぞれピン孔２７が形成してある。
【００５８】
また、前記プッシュボタン保持部材１７は、図２及び図６に示すように部材本体２８を有しており、この部材本体２８は、底面部２８ａのバンド長手方向の両端部を立ち上げた後に底面部２８ａと平行に折り曲げて、これらの折曲げ部２９Ａ、２９Ｂを対向させた形状をしており、底面部２８ａと折曲げ部２９Ａ、２９Ｂとで囲まれ、且つその上部に隙間である係合用開口部２９Ｃを有するバンド短手方向に沿った断面略矩形の空間としてのボタン挿入孔Ｈが形成されている。そして、前記部材本体２８のバンド短手方向の両端部にはそれぞれ一対の取付部３０、３１が形成してあり、これらの取付部３０、３１には孔部３２が形成してある。また、前記部材本体２８の底面部２８ａの中央部には孔部３３が形成してあり、折曲げ部２９Ａ、２９Ｂの中央部には円弧状の切欠き部３４Ａ、３４Ｂが形成してある。
【００５９】
また、前記スライド板１８は、図２及び図７に示すように板本体３５を備えており、この板本体３５には開口部３６が形成してあり、この開口部３６の両側縁部にはバンド長手方向に、係合歯部を構成する複数のラチェット歯３７が形成してあって、これらスライド板側係合手段を構成している。この場合、前記ラチェット歯３７は、その係止側部３７ａを他方の時計バンド２側に向けて形成してある。また、前記板本体３５の右端部には、ピン孔３６ａを有するピン連結部３６Ａが一対形成してある。
【００６０】
一方及び他方の前記プッシュボタン１９、２０は、図２及び図８に示すように端部に押部３８Ａを形成したボタン本体３８を有しており、このボタン本体３８の先部の一側には切欠き部３９が形成してあって、この切欠き部３９の先側に円弧形状の係合部４０が、切欠き部３９の元側にはボタン側係合手段である係合突起４１が形成してあり、また、ボタン本体３８には、一側に位置する元側ばね受け部３９Ａと他側に位置する先側ばね受け部３９Ｂとが形成してある。
【００６１】
そして、前記プッシュボタン保持部材１７の折曲げ部２９Ａ、２９Ｂが前記中留枠１６の端壁部２２Ａ、２２Ｂ間に挿入されていて、前記取付部３０、３１を、前記座面部２４、２５に当接し、これらの座面部２４、２５に設けたかしめ用ピン２６Ａを前記取付部３０、３１の孔部３２に挿入した後、かしめることにより固着されていて、このとき、ボタン挿入孔Ｈの開口部とボタン挿入凹部２３が一致する。そして、前記プッシュボタン保持部材１７の折曲げ部２９Ａ、２９Ｂと前記中留枠１６の枠本体２２との間に隙間４２が形成してある。なお、前記取付部３０、３１の前記座面部２４、２５への取り付けは上記したかしめに限らず、溶接、ロー付け、ビス止め等でも行なうことができる。
【００６２】
そして、前記隙間４２に前記スライド板１８がバンド長手方向に移動可能に挿入してある。また、前記プッシュボタン保持部材１７のボタン挿入孔Ｈには、一端側から一方のプッシュボタン１９が、他端側から他方のプッシュボタン２０がそれぞれ挿入してあって、一方及び他方のプッシュボタン１９、２０のそれぞれの係合突起４１は前記折曲げ部２９Ａ、２９Ｂ間の開口部２９Ｃ間から前記スライド板１８の係合用開口部３６内に突入している。
【００６３】
そして、一方のプッシュボタン１９の元側ばね受け部３９Ａと他方のプッシュボタン２０の先側ばね受け部３９Ｂとの間及び一方のプッシュボタン１９の先側ばね受け部３９Ｂと他方のプッシュボタン２０の元側ばね受け部３９Ａとの間に、それぞれスプリング２１が介装してあり、これらのスプリング２１の付勢力により一方及び他方のプッシュボタン１９、２０は互いに離間されていて、一方のプッシュボタン１９の係合突起４１は前記スライド板１８の一方のラチェット歯３７に、他方のプッシュボタン２０の係合突起４１は前記スライド板１８の他方のラチェット歯３７にそれぞれ係合している。
【００６４】
よって、一方のプッシュボタン１９と他方のプッシュボタン２０は、前記プッシュボタン保持部材１７のボタン挿入孔Ｈ内に抜けないように係止され、同時に前記スライド板１８は、隙間４２内に抜けないように係止される。そして、一方及び他方のプッシュボタン１９、２０の前記係合部４０は互いに対向していて、これらでボタン側係合部を構成している。また、プッシュボタン２０の押し部３８Ａが、ボタン挿入凹部２３より外方に突出する。
【００６５】
上記のように構成された前記中留機構６は、前記中留枠１６の前記端壁部２２Ａ、２２Ｂのピン孔２７に、前記外板４の連結ピン保持部１２に保持された連結ピン４３を係止して前記外板４に連結されており、また、前記中留機構６は、前記スライド板１８のピン連結部３６Ａのピン孔３６ａに、他方の時計バンド２の端部の連かん駒４４が保持した連結ピン４５を係止して他方の時計バンド２に連結されている。
【００６６】
次に、上記のように構成された時計バンド構造の装着及びこの装着の解除とバンド長さの微調整操作を説明する。
【００６７】
まず、時計バンドに手首を通した後に、前記中板３を前記外板４側に折り畳んでこの中板３を外板４の挿入孔部１０に挿入すると共に、前記中板３に設けた中折れ部材側係合部である前記係合爪９を、前記プッシュボタン保持部材１７の底面部２８ａの孔部３３に挿入して、この係合爪９を前記ボタン側係合部、すなわち一方及び他方の前記プッシュボタン１９、２０の互いに対向する係合部４０、４０に係合して、前記時計バンドを手首に装着する。
【００６８】
前記係合爪９の係合部４０への係合は、この係合爪９の端部の傘部９ｂで、一方及び他方の前記プッシュボタン１９、２０の係合部４０間をバンド短手方向に互いに離間するように押開き、係合爪９の軸部９ａが挿入されると一方及び他方の前記プッシュボタン１９、２０の係合部４０が前記スプリング２１の付勢力により閉じて係合爪９の軸部９ａに係止することで行われる。
【００６９】
また、前記時計バンドを手首から外す場合には、一方及び他方のプッシュボタン１９、２０の押し部３８Ａを親指と人差し指で挟んで内側に押すことにより、一方及び他方のプッシュボタン１９、２０を前記スプリング２１に抗して移動させることにより前記係合部４０間を開いて係合を解除し、前記中板３を外に開いて、外板４の挿入孔部１０より抜き出し、前記時計バンドを拡開する。
【００７０】
また、前記スライド板１８にラチェット歯３７が、その係止側部３７ａを他方の時計バンド２側に向けて形成してあるために、時計バンドを縮める方向にすなわち、時計バンド１側に向けて外板４を移動させると、前記スライド板１８は移動して前記ラチェット歯３７が一方及び他方のプッシュボタン１９、２０の係合突起４１上を滑り、前記スライド板１８の移動を止めると前記ラチェット歯３７に係合突起４１が係合して時計バンドを縮める方向にバンド長さの微調整（例えば約１．３ｍｍピッチで５ｍｍ程度）が行われる。
【００７１】
また、時計バンドを伸ばす方向にバンド長さの微調整（例えば約１．３ｍｍピッチで５ｍｍ程度）を行う場合には、一方及び他方のプッシュボタン１９、２０を親指と人差し指で挟んで内側に押さなければならない。これは、前記ラチェット歯３７の係止側部３７ａが、他方の時計バンド２側に向けて形成してあるために、時計バンド１と離間する方向に他方の時計バンド２を引っ張っても、係止側部３７ａと係合突起４１の係合は維持されたままであり、よって前記スライド板１８が移動しないためである。
【００７２】
一方及び他方のプッシュボタン１９、２０を押すことにより、一方及び他方のプッシュボタン１９、２０を前記スプリング２１に抗して移動させて、一方及び他方のプッシュボタン１９、２０の係合突起４１を前記スライド板１８のラチェット歯３７から外し、この状態を保持したままで、時計バンド１と離間する方向に他方の時計バンド２を引っ張って、前記スライド板１８を移動させ、所定の微調整後に一方及び他方のプッシュボタン１９、２０の押えを解除して一方及び他方の前記プッシュボタン１９、２０を前記スプリング２１の付勢力により外方に移動して、係合突起４１を前記スライド板１８のラチェット歯３７に係合させる。
【００７３】
上記した実施例１によれば、プッシュボタン操作による中留機構６とバンド長さ微調整手段の一体化を図ることが可能になる。そして、前記バンド長さ微調整手段を、時計バンドの一端が固定され且つバンド長手方向に滑動可能なスライド板１８を有し、このスライド板１８に、前記プッシュボタン１９、２０の係合突起４１が係脱可能に係合するラチェット歯３７を設けて構成することにより、前記プッシュボタン１９、２０を操作して、または操作することなしに、係合突起４１をラチェット歯３７より外して、前記スライド板１８を移動して所定の長さの調整後に、前記プッシュボタン１９、２０の係合突起４１をラチェット歯３７に係合しバンド長さの微調整を行なうことができる。
【００７４】
すなわち、手首の太さが僅かに変化した時は、前記プッシュボタン１９、２０を押圧して段階的に微調整を行い、腕時計を手首から外すこと無く、最も適当な装着感を得ることができる。
【００７５】
（実施例２）
本発明に係わる装身具の中留構造の実施例２として時計バンド構造の中留構造について図９乃至図１２を参照して説明する。
【００７６】
この実施例２の構成が上記した実施例１の構成と異なるところは前記中留機構６の構成である。この中留機構６は、中留枠４６とプッシュボタン保持部材４７とスライド板４８とプッシュボタン４９、５０と２個のスプリング５１とから構成してある。そして、前記中留枠４６は、図５に示す実施例１の中留枠１６と同じ構成である。
【００７７】
前記プッシュボタン保持部材４７は図１１に示すように部材本体５２を有しており、この部材本体５２は、底面部５２ａのバンド長手方向の両端部を立ち上げた立上り壁部５３Ａ、５３Ｂを対向させた形状をしており、この部材本体５２のバンド短手方向の両端部にはそれぞれ一対の取付部５３、５４が形成してあり、これらの取付部５３、５４には孔部５５が形成してある。また、前記部材本体５２の底面部５２ａの中央部には孔部５６が形成してある。
【００７８】
また、前記スライド板４８が、図６に示す実施例１のスライド板１８と異なるところは、実施例１のスライド板１８の係合歯部がラチェット歯３７であるのに対して半円形状の谷歯５７を並べて形成している点であり、他の構成は実施例１のスライド板１８と同じである。
【００７９】
また、一方及び他方の前記プッシュボタン４９、５０は、図１２に示すように端部に押部５８を形成したボタン本体５９を有しており、このボタン本体５９の先部の一側には切欠き部６０が形成してあって、この切欠き部６０の先側に円弧形状の係合部６１が、切欠き部６０の元側には丸ピン状の係合突起６２が突設してあり、また、ボタン本体５９には、一側に位置する元側ばね受け部６３Ａと他側に位置する先側ばね受け部６３Ｂとが形成してあって、この先側ばね受け部６３Ｂにはばね保持用ピン部６４が設けてある。
【００８０】
そして、前記プッシュボタン保持部材４７は前記中留枠４６に上記した実施例１の場合と同じようにして固着されていて、前記プッシュボタン保持部材４７の立上がり壁部５３Ａ、５３Ｂと前記中留枠４６の枠本体２２との間に隙間６５が形成してある。
【００８１】
そして、この隙間６５に前記スライド板４８がバンド長手方向に移動可能に挿入してある。また、前記プッシュボタン保持部材４７には、一端側から一方のプッシュボタン４９が、他端側から他方のプッシュボタン５０がそれぞれ挿入してあって、一方及び他方のプッシュボタン４９、５０のそれぞれの係合突起６２は前記スライド板４８の開口部３６内に突入しており、一方のプッシュボタン４９の元側ばね受け部６３Ａと他方のプッシュボタン５０の先側ばね受け部６３Ｂとの間及び一方のプッシュボタン４９の先側ばね受け部６３Ｂと他方のプッシュボタン５０の元側ばね受け部６３Ａとの間に、それぞれスプリング５１が介装してあり、これらのスプリング５１の付勢力により一方及び他方のプッシュボタン４９、５０は互いに離間する方向に付勢されていて、一方のプッシュボタン４９の係合突起６２は前記スライド板４８の一方の谷歯５７に、他方のプッシュボタン５０の係合突起６２は前記スライド板４８の他方の谷歯５７にそれぞれ係合している。
【００８２】
この場合、前記先側ばね受け部６３Ｂに設けられたばね保持用ピン部６４は前記スプリング５１の端部内に挿入されており、これらスプリング５１の保持を確実なものにしている。このように、前記ばね保持用ピン部６４でスプリング５１を確実に保持したのは、前記プッシュボタン保持部材４７が、上記した実施例１のプッシュボタン保持部材１７と異なり、前記スプリング５１を抱く形状ではないために、このスプリング５１が外れ易いことを考慮したためである。また、前記プッシュボタン保持部材４７には折曲げ部２９Ａ、２９Ｂが無いために上下方向の厚みを薄くすることができる。
【００８３】
上記のように構成された前記中留機構６は、上記した実施例１の場合と同様にして前記外板４及び他方の時計バンド２に連結されている。
【００８４】
そして、この実施例２の時計バンド構造の手首への装着及びこの装着の解除は実施例１の場合と同様にして行われるが、前記時計バンドの長さを微調整する場合には、一方及び他方のプッシュボタン４９、５０に設けられた係合突起６２が丸ピンであり、前記係合歯部が半円形状の谷歯５７を並べて形成されているために、時計バンドを縮める方向及び伸ばす方向のいずれの場合にも、他方の時計バンド２を強制的に移動させると、前記スライド板４８は移動して前記谷歯５７が一方及び他方のプッシュボタン４９、５０の係合突起６２上を滑り、前記スライド板４８の移動を止めると前記谷歯５７に係合突起６２が係合することにより行う。
【００８５】
また、一方及び他方のプッシュボタン４９、５０を親指と人差し指で挟んで内側に押すことにより、一方及び他方のプッシュボタン４９、５０を前記スプリング５１に抗して移動させて、一方及び他方のプッシュボタン４９、５０の係合突起６２を前記スライド板４８の谷歯５７から強制的に外し、この状態を保持したままで前記スライド板４８を移動して、所定の微調整後に、一方及び他方のプッシュボタン４９、５０の押えを解除して一方及び他方の前記プッシュボタン４９、５０を前記スプリング５１の付勢力により外方に移動して係合突起６２を前記スライド板４８の谷歯５７に係合することでも行うことができる。
【００８６】
上記した実施例２によれば、プッシュボタン操作による中留機構６とバンド長さ微調整手段の一体化を図ることが可能になる。そして、前記バンド長さ微調整手段を、時計バンドの一端が固定され且つバンド長手方向に滑動可能なスライド板４８を有し、このスライド板４８に、前記プッシュボタン４９、５０の係合突起６２が係脱可能に係合する谷歯５７を設けて構成することにより、前記プッシュボタン４９、５０を操作して、係合突起６２を谷歯５７より外して、前記スライド板４８を移動して所定の長さの調整後に、前記プッシュボタン４９、５０の係合突起６２を谷歯５７に係合しバンド長さの微調整を行なうことができる。
【００８７】
すなわち、手首の太さが僅かに変化した時は、前記プッシュボタン４９、５０を押圧して段階的に微調整を行い、腕時計を手首から外すこと無く、最も適当な装着感を得ることができる。
【００８８】
（実施例３）
次に、本発明に係わる装身具の中留構造の実施例３を図１３に基づいて説明する。この実施例３の構成が上記した実施例１及び実施例２の構成と異なるところは中留機構６の構成である。この中留機構６は、中留枠７７とプッシュボタン保持部材７０とスライド板７３とプッシュボタン７４、７５と２個のスプリング７６とから構成してある。
【００８９】
前記中留枠７７は、上記した実施例１及び実施例２における前記中留機構６の中留枠１６、４６が鋳造品、鍛造品、切削加工品であるのに対して板金製である。すなわち、図１３に示すように板金材により表面部６６ａが曲面に成され且つ両側に折曲げ部からなる端壁部６７Ａ、６７Ｂを有する枠本体６６が作成される。この場合、この枠本体６６の端壁部６７Ａ、６７Ｂには長方形状の窓部６８Ａ、６８Ｂが形成され、前記端壁部６７Ａ、６７Ｂの一端側にはそれぞれピン孔６９が形成される。
【００９０】
また、前記プッシュボタン保持部材７０は板金材からなる部材本体７１を有しており、この部材本体７１は、底面部７１ａのバンド長手方向の両端部を立ち上げた後に底面部７１ａと平行に折り曲げて、これらの折曲げ部７２Ａ、７２Ｂを対向させた形状を成している。そして、前記底面部７１ａに孔部７１ｂが形成してある。
【００９１】
また、前記スライド板７３とプッシュボタン７４、７５と２個のスプリング７６は、それぞれに上記した実施例１におけるスライド板１８とプッシュボタン１９、２０と２個のスプリング２１と同構成である。
【００９２】
そして、前記プッシュボタン保持部材７０には、一端側から一方のプッシュボタン７４が、他端側から他方のプッシュボタン７５をそれぞれ挿入し、一方のプッシュボタン７４の元側ばね受け部３９Ａと他方のプッシュボタン７５の先側ばね受け部３９Ｂとの間及び一方のプッシュボタン７４の先側ばね受け部３９Ｂと他方のプッシュボタン７５の元側ばね受け部３９Ａとの間に、それぞれスプリング７６を介装してユニット化される。
【００９３】
そして、前記中留枠７７の内面側に前記スライド板７３を沿わせて、ユニット化された前記プッシュボタン保持部材７０をプッシュボタン７４、７５を押し込んだ状態で前記中留枠７７の端壁部６７Ａ、６７Ｂ間に挿入して一方のプッシュボタン７４を端壁部６７Ａの窓部６８Ａより、また、他方のプッシュボタン７５を端壁部６７Ｂの窓部６８Ｂよりそれぞれに外方に突出させ、前記スプリング７６の付勢力により一方及び他方のプッシュボタン７４、７５を互いに離間させて、一方のプッシュボタン７４の係合突起４１を前記スライド板７３の一方のラチェット歯３７に、他方のプッシュボタン７５の係合突起４１を前記スライド板７３の他方のラチェット歯３７にそれぞれ係合させて前記中留機構６が構成してある。
【００９４】
上記のように構成された前記中留機構６は、上記した実施例１の場合と同様にして前記外板４及び他方の時計バンド２に連結されている。そして、この実施例３の中留構造を備えた時計バンド構造の手首への装着及びこの装着の解除は実施例１の場合と同様にして行われる。
【００９５】
上記した実施例３によれば、プッシュボタン操作による中留機構６とバンド長さ微調整手段の一体化を図ることが可能になる。そして、前記バンド長さ微調整手段を、時計バンドの一端が固定され且つバンド長手方向に滑動可能なスライド板７３を有し、このスライド板７３に、前記プッシュボタン７４、７５の係合突起４１が係脱可能に係合するラチェット歯３７を設けて構成することにより、前記プッシュボタン７４、７５を操作して、係合突起４１をラチェット歯３７より外して、前記スライド板７３を移動して所定の長さの調整後に、前記プッシュボタン７４、７５の係合突起４１をラチェット歯３７に係合しバンド長さの微調整を行なうことができる。
【００９６】
すなわち、手首の太さが僅かに変化した時は、前記プッシュボタン７４、７５を押圧して段階的に微調整を行い、腕時計を手首から外すこと無く、最も適当な装着感を得ることができる。
【００９７】
（実施例４）
本発明の装身具の中留構造の実施例４を図１４に示す。前記バンド長さ微調整手段を備えた中留機構６は上記した実施例１に示すように三つ折り構成の中折れ部材５に装着されているが、図１４に示すように観音開き構成である中折れ部材５に装着してもよい。
【００９８】
この観音開き構成である中折れ部材５は、中折れ部材側係合部である係合爪８０ａを有する中間板８０の一端部に一方の開閉板８１の一端部を、中間板８０の他端部に他方の開閉板８２の一端部をそれぞれ枢着して構成してある。
【００９９】
そして、中留機構６は、中留枠８５と、プッシュボタン保持部材８３と、スライド板８４と、一方及び他方のプッシュボタン８６、８７とから大略構成してあり、中留枠８５、プッシュボタン保持部材８３、スライド板８４及び一方及び他方のプッシュボタン８６、８７は、上記した実施例３の中留機構６における中留枠７７、プッシュボタン保持部材７０、スライド板７３及び一方及び他方のプッシュボタン７４、７４と同構成であるので、同一の符号を付して説明を省略する。
【０１００】
そして、前記プッシュボタン保持部材８３には、その一端側から一方のプッシュボタン８６が、他端側から他方のプッシュボタン８７をそれぞれ挿入し、一方のプッシュボタン８６の元側ばね受け部３９Ａと他方のプッシュボタン８７の先側ばね受け部３９Ｂとの間及び一方のプッシュボタン８６の先側ばね受け部３９Ｂと他方のプッシュボタン８７の元側ばね受け部３９Ａとの間に、それぞれスプリング７６を介装してユニット化される。
【０１０１】
そして、前記中留枠８５の内面側に前記スライド板８４を沿わせて、ユニット化された前記プッシュボタン保持部材８３をプッシュボタン８６、８７を押し込んだ状態で前記中留枠８５の端壁部６７Ａ、６７Ｂ間に挿入して一方のプッシュボタン８６を端壁部６７Ａの窓部６８Ａより、また、他方のプッシュボタン８７を端壁部６７Ｂの窓部６８Ｂよりそれぞれに外方に突出させ、前記スプリング７６の付勢力により一方及び他方のプッシュボタン８６、８７を互いに離間させて、一方のプッシュボタン８６の係合突起４１を前記スライド板８４の一方のラチェット歯３７に、他方のプッシュボタン８７の係合突起４１を前記スライド板８４の他方のラチェット歯３７にそれぞれ係合させて前記中留機構６が構成してある。
【０１０２】
そして、観音開き構成の中折れ部材５に中留機構６及び時計バンド１、２を取り付けるには、一方の開閉板８１の他端部を前記中留機構６の中留枠８５のピン孔８７Ａにピン８８により枢着し、この中留機構６のスライド板８４の接続端部に一方の時計バンド１の端部の連かん駒１４を連結し、他方の開閉板８２の他端部を他方の時計バンド２に端部の連かん駒４４を連結する。
【０１０３】
そして、この実施例４の中留構造を備えた時計バンド構造の手首への装着及びこの装着の解除は次のように行われる。
【０１０４】
すなわち、時計バンド構造に手首を通した後に、他方の開閉板８２を中間板８０側に折り畳み、次に、一方の開閉板８１を中間板８０側に折り畳んで、係合爪８０ａを、前記プッシュボタン保持部材８３の底面部２８ａの孔部３３に挿入して、この係合爪８０ａを前記ボタン側係合部、すなわち一方及び他方の前記プッシュボタン８６、８７の互いに対向する係合部４０、４０に係合して、前記時計バンド構造を手首に装着する。
【０１０５】
また、前記時計バンド構造を手首から外す場合には、一方及び他方のプッシュボタン８６、８７の押し部３８Ａを親指と人差し指で挟んで内側に押すことにより、一方及び他方のプッシュボタン８６、８７を前記スプリング７６に抗して移動させることにより前記係合部４０間を開いて係合を解除し、一方の開閉板８１を外に開き、かつ他方の開閉板８２を外に開いて前記時計バンド構造を拡開する。
【０１０６】
また、前記スライド板８４にラチェット歯３７が、その係止側部３７ａを他方の時計バンド２側に向けて形成してあるために、時計バンド構造を縮める方向に移動させると、前記スライド板８４は移動して前記ラチェット歯３７が一方及び他方のプッシュボタン８６、８７の係合突起４１上を滑り、前記スライド板８４の移動を止めると前記ラチェット歯３７に係合突起４１が係合して時計バンド構造を縮める方向にバンド長さの微調整（例えば約１．３ｍｍピッチで５ｍｍ程度）が行われる。
【０１０７】
また、時計バンド構造を伸ばす方向にバンド長さの微調整（例えば約１．３ｍｍピッチで５ｍｍ程度）を行う場合には、一方及び他方のプッシュボタン８６、８７を親指と人差し指で挟んで内側に押さなければならない。これは、前記ラチェット歯３７の係止側部３７ａが、他方の時計バンド２側に向けて形成してあるために、時計バンド１と離間する方向に他方の時計バンド２を引っ張っても、係止側部３７ａと係合突起４１の係合は維持されたままであり、よって前記スライド板８４が移動しないためである。一方及び他方のプッシュボタン８６、８７を押すことにより、一方及び他方のプッシュボタン８６、８７を前記スプリング７６に抗して移動させて、一方及び他方のプッシュボタン８６、８７の係合突起４１を前記スライド板８４のラチェット歯３７から外し、この状態を保持したままで、時計バンド１と離間する方向に他方の時計バンド２を引っ張って、前記スライド板８４を移動させ、所定の微調整後に一方及び他方のプッシュボタン８６、８７の押えを解除して一方及び他方の前記プッシュボタン８６、８７を前記スプリング７６の付勢力により外方に移動して係合突起４１を前記スライド板８４のラチェット歯３７に係合させる。
【０１０８】
上記した実施例４によれば、プッシュボタン操作による中留機構６とバンド長さ微調整手段の一体化を図ることが可能になる。そして、前記バンド長さ微調整手段を、時計バンドの一端が固定され且つバンド長手方向に滑動可能なスライド板８４を有し、このスライド板８４に、前記プッシュボタン８６、８７の係合突起４１が係脱可能に係合するラチェット歯３７を設けて構成することにより、前記プッシュボタン８６、８７を操作して、または操作することなしに、係合突起４１をラチェット歯３７より外して、前記スライド板８４を移動して所定の長さの調整後に、前記プッシュボタン８６、８７の係合突起４１をラチェット歯３７に係合しバンド長さの微調整を行なうことができる。
【０１０９】
すなわち、手首の太さが僅かに変化した時は、前記プッシュボタン８６、８７を押圧して段階的に微調整を行い、腕時計を手首から外すこと無く、最も適当な装着感を得ることができる。
【０１１０】
上記した実施例１〜実施例４において、前記プッシュボタン（１９、２０）、（７４、７５）、（８６、８７）に設けた係合突起４１は、削り出しまたは圧入により形成されるものであり、係合突起４１の形成加工に熟練を要し、また、係合突起４１がプッシュボタン（１９、２０）、（７４、７５）、（８６、８７）に形成または固着されているために、実施例４を例にすると、上記したようにプッシュボタン保持部材８３に一方及び他方のプッシュボタン８６、８７をスプリング７６と共に組み込んでユニット化し、中留枠８５の内面側にスライド板８４を沿わせて、ユニット化された前記プッシュボタン保持部材８３をプッシュボタン８６、８７を押し込んだ状態で中留枠８５の端壁部６７Ａ、６７Ｂ間に挿入し、一方のプッシュボタン８６を端壁部６７Ａの窓部６８Ａより、また、他方のプッシュボタン８７を端壁部６７Ｂの窓部６８Ｂよりそれぞれに外方に突出させ、前記スプリング７６の付勢力により一方及び他方のプッシュボタン８６、８７を互いに離間させて、一方のプッシュボタン８６の係合突起４１を前記スライド板８４の一方のラチェット歯３７に、他方のプッシュボタン８７の係合突起４１を前記スライド板８４の他方のラチェット歯３７にそれぞれ係合させて前記中留機構６を組み立てる必要がある。
【０１１１】
したがって、前記中留機構６の組立性を考慮した場合、上記した実施例１〜実施例４の中留機構６の場合、その組立に工数がかかると言わざるを得ない。この組立工数をより少なく且つ簡単に行うことができる実施例を次に説明する。
【０１１２】
（実施例５）
本発明の装身具の中留構造の実施例５を図１５乃至図２０に示す。この実施例９の構成が上記した実施例４の構成と異なるところは中留機構６の構成である。なお、中折れ部材５は、上記した実施例４の場合と同様に観音開き構成であるので、同一符号を付して説明を省略する。また、実施例５はすべての部品が板金プレス加工で製作されるものである。
【０１１３】
前記中留機構６は、中留枠９０と、プッシュボタン保持部材９１と、スライド板９２と、プッシュボタン９３、９４と、２個のスプリング９５とから構成してある。そして、前記中留枠９０及びスライド板９２は、上記した実施例４の中留枠８５びスライド板８４と同構成である。
【０１１４】
そして、前記プッシュボタン保持部材９１は板金材からなる部材本体９１Ａを有しており、この部材本体９１Ａは、底面部９１ａのバンド長手方向の両端部を立ち上げた後に底面部９１ａと平行に折り曲げて、これらの折曲げ部９６Ａ、９６Ｂを対向させた形状をなしていて、折曲げ部９６Ａ、９６Ｂ間にはバンド短手方向に係合用開口部９６Ｃが形成してある。そして、前記底面部９１ａの中央部には孔部９１ｂが形成してあり、また、この底面部９１ａには、ハンド短手方向において前記孔部９１ｂを挟んだ位置にハンド短手方向に長い挿入孔９７Ａ、９７Ｂが形成してある。
【０１１５】
一方及び他方の前記プッシュボタン９３、９４は、端部に押部９８Ａを形成したボタン本体９８を有しており、このボタン本体９８の先部の一側には切欠き部９９が形成してあって、この切欠き部９９の先側に円弧形状の係合部１００が形成してあり、また、ボタン本体９８には、一側に位置する元側ばね受け部９９Ａと他側に位置する先側ばね受け部９９Ｂとが形成してある。そして、切欠き部９９の元側にはねじ孔１０２が形成してあり、このねじ孔１０２には係合突起形成体１０３が螺合してある。
【０１１６】
すなわち、係合突起形成体１０３は一種のボルト構成であり、頭部１０４とねじ部１０５とねじ形成無しの係合突起部１０６とを有しており、頭部１０４にはドライバーの先端が係合する溝部１０４Ａが形成してある。そして、係合突起形成体１０３は、そのねじ部１０５をねじ孔１０２に螺合してボタン本体９８に取り付けた場合、頭部１０４はボタン本体９８に裏面に突出し、係合突起部１０６はボタン本体９８に表面に突出していて係合突起４１を形成する。
【０１１７】
次に、前記中留機構６の組立てを説明する。
前記中留枠９０の内面側に、スライド板９２を沿わせ、次に、このスライド板９２に下側にプッシュボタン保持部材９１を組み付けて、このプッシュボタン保持部材９１のバンド短手方向の開口端部を、中留枠９０の端壁部６７Ａ、６７Ｂの窓部６８Ａ、６８Ｂに一致させ、これらの窓部６８Ａ、６８Ｂのいずれか一方（もしくは両方）からプッシュボタン保持部材９１の内部に、スプリング９５を組み付けた一方及び他方のプッシュボタン９３、９４を挿入する。
【０１１８】
次に、プッシュボタン保持部材９１の底面部９１ａの挿入孔９７Ａ、９７Ｂから係合突起形成体１０３を挿入して、そのねじ部１０５をプッシュボタン９３、９４のねじ孔１０２に螺合し、係合突起部１０６をプッシュボタン保持部材９１の係合用開口部９６Ｃより突出させて係合突起４１を構成する。この場合、係合突起形成体１０３の頭部１０４は挿入孔９７Ａ、９７Ｂに挿入され、前記スプリング９５の付勢力により一方及び他方のプッシュボタン９３、９４は互いに離間して、一方のプッシュボタン９３の係合突起４１が前記スライド板９２の一方のラチェット歯３７に、他方のプッシュボタン９４の係合突起４１が前記スライド板９２の他方のラチェット歯３７にそれぞれ係合する。そして、一方及び他方のプッシュボタン９３、９４の押し部９８Ａは窓部６８Ａ、６８Ｂより外方に突出する。
【０１１９】
上記のように、中留枠９０に、スライド板９２と、プッシュボタン保持部材９１と、プッシュボタン９３、９４とを組み付けた後に、プッシュボタン９３、９４のねじ孔１０２に外部から係合突起形成体１０３を螺合して係合突起４１を形成することができるので、係合突起を削り出した圧入で形成する場合に比べて、中留機構６の組立てが容易になり、作業性が良好になって、コストを低減することができる。また、係合突起形成体１０３はプッシュボタン９３、９４にねじ込みなので取り外しが可能になる。
【０１２０】
そして、この実施例５の中留構造を備えた時計バンド構造の手首への装着及びこの装着の解除は実施例４の場合と同様にして行われる。
【０１２１】
上記した実施例５によれば、プッシュボタン操作による中留機構６とバンド長さ微調整手段の一体化を図ることが可能になる。そして、前記バンド長さ微調整手段を、時計バンドの一端が固定され且つバンド長手方向に滑動可能なスライド板９２を有し、このスライド板９２に、前記プッシュボタン９３、９４の係合突起４１が係脱可能に係合するラチェット歯３７を設けて構成することにより、前記プッシュボタン９３、９４を操作して、係合突起４１をラチェット歯３７より外して、前記スライド板９２を移動して所定の長さの調整後に、前記プッシュボタン９３、９４の係合突起４１をラチェット歯３７に係合しバンド長さの微調整を行なうことができる。
【０１２２】
すなわち、手首の太さが僅かに変化した時は、前記プッシュボタン９３、９４を押圧して段階的に微調整を行い、腕時計を手首から外すこと無く、最も適当な装着感を得ることができる。
【０１２３】
なお、前記スライド板１８（４８、７３、９２）の係合歯部は実施例１及び実施例３乃至実施例５におけるラチェット歯３７を連続させたもの、実施例２における谷歯５７を連続させたものに限らず、図２１に示す山歯７８を連続させたものでもよい。この場合、一方及び他方のプッシュボタン（１９、２０）、（４９、５０）、（７４、７５）、（９３、９４）に設けられる係合突起４１、６２は前記山歯７８に係合する形状が必要になる。
【０１２４】
また、前記スライド板１８（４８、７３、９２）の係合歯部としては、図２２に示すように互いに向きが逆のラチェット歯３７−１、３７−２をそれぞれバンド長手方向に複数並べて構成してもよい。すなわち、一方のラチェット歯３７−１は、その係止側部３７ａ−１が他方の時計バンド２側に向けて形成してあり、他方のラチェット歯３７−２は、その係止側部３７ａ−２が一方の時計バンド１側に向けて形成してある。この場合、一方及び他方のプッシュボタン（１９、２０）、（４９、５０）、（７４、７５）、（９３、９４）に設けられる一方及び他方の係合突起７８−１、７８−２は一方及び他方のラチェット歯３７−１、３７−２に係合する形状にしてあり、これら一方及び他方の係合突起７８−１、７８−２は点対称を成し、一方及び他方のプッシュボタン（１９、２０）、（４９、５０）、（７４、７５）、（９３、９４）は点対称を成している。このために、一方及び他方のプッシュボタン（１９、２０）、（４９、５０）、（７４、７５）、（９３、９４）は同じ形状になり、一種類で共用できることになる。
【０１２５】
そして、時計バンドを縮める方向及び伸ばす方向のいずれの場合にも、ロックされる。すなわち、時計バンドを縮める方向では、他方の係合突起７８−２が他方のラチェット歯３７−２に係合し、時計バンドを伸ばす方向では、一方の係合突起７８−１が一方のラチェット歯３７−１に係合する。
【０１２６】
したがって、時計バンドを縮める場合、すなわち前記スライド板１８（４８、７３、９２）を、一方の時計バンド１側に移動させる場合は、プッシュボタン２０（５０、７５、９４）のみを押圧して、他方の係合突起７８−２と他方のラチェット歯３７−２の係止側部３７ａ−２との係合を解除さえすれば良い。なぜならば、一方のラチェット歯３７−１は、その係止側部３７ａ−１が他方の時計バンド２側に向けて形成してあるため、プッシュボタン１９（４９、７４、９３）を押圧して、ラチェット歯３７−１と一方の係合突起７８−１との係合を解除せずとも、前記スライド板１８（４８、７３、９２）を一方の時計バンド１側に押圧すれば、一方の係合突起７８−１は、一方のラチェット歯３７−１の傾斜部分を滑動して、次々と一方のラチェット歯３７−１各々を越えていくからである。ところが、他方のラチェット歯３７−２は、その係止側部３７ａ−２が一方の時計バンド１側に向けて形成してあるで、プッシュボタン２０（５０、７５、９４）を押圧して、ラチェット歯３７−２と他方の係合突起７８−２との係合を解除しない限り、前記スライド板１８（４８、７３、９２）は、一方の時計バンド１側に移動できない。
【０１２７】
逆に、時計バンドを伸ばす場合は、プッシュボタン１９（４９、７４、９３）のみを押圧すれば良い。あるいは、時計バンドを縮める場合にも伸ばす場合にも、両方のプッシュボタンを押圧してもかまわない。すなわち、一方及び他方のプッシュボタン（１９、２０）、（４９、５０）、（７４、７５）、（９３、９４）を親指と人差し指で挟んで内側に押すことにより、一方及び他方のプッシュボタン（１９、２０）、（４９、５０）、（７４、７５）、（９３、９４）を前記スプリング２１（５１、９５）に抗して移動させて、一方及び他方のプッシュボタン（１９、２０）、（４９、５０）、（７４、７５）、（９３、９４）の係合突起７８−１、７８−２を一方及び他方のラチェット歯３７−１、３７−２から強制的に外し、この状態を保持したままで前記スライド板１８（４８、７３、９２）を移動して、所定の微調整後に、一方及び他方のプッシュボタン（１９、２０）、（４９、５０）、（７４、７５）、（９３、９４）の押えを解除して一方及び他方の前記プッシュボタン（１９、２０）、（４９、５０）、（７４、７５）、（９３、９４）を前記スプリング２１（５１、９５）の付勢力により外方に移動して係合突起７８−１、７８−２を一方及び他方のラチェット歯３７−１、３７−２に係合することで行う。
【０１２８】
また、前記スライド板１８（４８、７３、９２）の係合歯部としては、図２３に示すように略コ字形状の方形歯７９をそれぞれバンド長手方向に複数並べて構成してもよい。この場合、一方及び他方のプッシュボタン（１９、２０）、（４９、５０）、（７４、７５）、（９３、９４）に設けられる一方及び他方の係合突起７９−１は一方及び他方の方形歯７９に係合する四角形状にしてあり、これら一方及び他方の係合突起７９−１は点対称を成し、一方及び他方のプッシュボタン（１９、２０）、（４９、５０）、（７４、７５）、（９３、９４）は点対称を成している。このために、一方及び他方のプッシュボタン（１９、２０）、（４９、５０）、（７４、７５）、（９３、９４）は同じ形状になり、一種類で共用できることになる。
【０１２９】
そして、時計バンド構造を縮める方向及び伸ばす方向のいずれの場合にも、ロックされる。したがって、時計バンド構造を縮める場合及び伸ばす場合には、一方及び他方のプッシュボタン（１９、２０）、（４９、５０）、（７４、７５）、（９３、９４）を親指と人差し指で挟んで内側に押すことにより、一方及び他方のプッシュボタン（１９、２０）、（４９、５０）、（７４、７５）、（９３、９４）を前記スプリング２１（５１、９５）に抗して移動させて、一方及び他方のプッシュボタン（１９、２０）、（４９、５０）、（７４、７５）、（９３、９４）の係合突起７９−１を一方及び他方の方形歯７９から強制的に外し、この状態を保持したままで前記スライド板１８（４８、７３、９２）を移動して、所定の微調整後に、一方及び他方のプッシュボタン（１９、２０）、（４９、５０）、（７４、７５）、（９３、９４）の押えを解除して一方及び他方の前記プッシュボタン（１９、２０）、（４９、５０）、（７４、７５）、（９３、９４）を前記スプリング２１（５１、９５）の付勢力により外方に移動して係合突起７９−１を一方及び他方の方形歯７９に係合することで行う。
【０１３０】
（実施例６）
本発明の装身具の中留構造の実施例６を図２４に示す。この実施例６における中留機構６は、上記した実施例１、２、３における中留機構６が、バンド短手方向に突出したプッシュボタン（１９、２０）、（４９、５０）、（７４、７５）が両側に存在する両プッシュ中留構成に対して、片方のプッシュボタンのみの係合突起４１がスライド板１８の係合歯部であるラチェット歯３７に噛み合うようにした両プッシュ中留構成である。他の構成は上記した実施例１の装身具の中留構造と同様であるので、同一符号を付して説明を省略する。
【０１３１】
実施例６における中留機構６においては、一方及び他方のプッシュボタン１９、２０のうち、他方のプッシュボタン２０の係合突起４１を削除して、一方のプッシュボタン１９の係合突起４１をスライド板１８のラチェット歯３７に係合させるようにしてあり、そして、バンド装着の解除は、一方及び他方のプッシュボタン１９、２０を押すことにより行うし、バンド長さの微調整は一方のプッシュボタン１９のみを押して行う。
【０１３２】
（実施例７）
本発明の装身具の中留構造の実施例７を図２５に示す。この実施例７における中留機構６においては、一方及び他方のプッシュボタン１９、２０のそれぞれには係合突起４１は存在するが、スライド板１８のラチェット歯３７を片側だけにして、このラチェット歯３７に一方の係合突起４１を係合させるようにしてある。他の構成は上記した実施例１のものと同じであるので、同一符号を付して説明を省略する。そして、装着の解除は、一方及び他方のプッシュボタン１９、２０を押すことにより行うし、バンド長さの微調整は一方のプッシュボタン１９のみを押して行う。
【０１３３】
（実施例８）
本発明の装身具の中留構造の実施例８を図２６に示す。この実施例８における中留機構６は片プッシュ中留構成であり、この中留機構６においては、一方のプッシュボタン１９にのみ押部３８Ａと係合突起４１と係合部４０とを設け、他方のプッシュボタン２０の押部３８Ａと係合突起４１と係合部４０とを切除し、スライド板１８のラチェット歯３７を片側だけにして、このラチェット歯３７に一方の係合突起４１を係合させるようにしてある。実施例４及び実施例５における中留機構６は、バンド短手方向に沿ってその両側より一方及び他方のプッシュボタン１９、２０が各々突出するが、実施例８における片プッシュの中留機構６は、プッシュボタン１９のみが、その片側より突出する構造である。他の構成は上記した実施例１のものと同じであるので、同一符号を付して説明を省略する。そして、バンド装着の解除及びバンド長さの微調整は一方のプッシュボタン１９のみを押して行う。
【００１３４】
（実施例９）
本発明の装身具の中留構造の実施例９を図２７及び図２８に示す。この実施例９では、時計バンド構造にシングル・ロックタイプの中留構造を使用している。このシングル・ロックタイプの中留構造における中留機構６は、中留枠１１０と、一方及び他方のプッシュボタン１１４、１１５と、プッシュボタン保持部材１１６と、スライド板１１７と、蓋体１１８とから大略構成してある。
【０１３５】
そして、中留枠１１０は枠本体１１０Ａを有しており、この枠本体１１０Ａのバンド短手方向の両端部には互いに対向する端壁部１１０Ｂ、１１０Ｃが形成してあり、これらの端壁部１１０Ｂ、１１０Ｃには、その中央部のボタン挿入凹部１１２と、このボタン挿入凹部１１２を挟んだ両側に位置する座面部１１２Ａとが形成してあり、端壁部１１０Ｂ、１１０Ｃ間がプッシュボタン保持部材装着部にしてある。また、枠本体１１０Ａの表面部には凹部１１１が形成してあり、この凹部１１１には孔部１１３が設けてある。
【０１３６】
また、前記スライド板１１７の開口部１１７Ａの両側縁部にはバンド長手方向に、係合歯部を構成する複数のラチェット歯１１９が形成してあって、これらスライド板側係合手段を構成している。この場合、前記ラチェット歯１１９は、その係止側部１１９ａを他方の時計バンド２側に向けて形成してある。また、スライド板１１７の右端部には、ピン孔１１７Ｂを有するピン連結部１１７Ｃが一対形成してある。
【０１３７】
一方及び他方の前記プッシュボタン１１４、１１５は、端部に押部１２７Ａを形成したボタン本体１２７を有しており、このボタン本体１２７の先部の一側には切欠き部１２８が形成してあって、この切欠き部１２８の先側に円弧形状の係合部１２５が、切欠き部１２８の元側にはボタン側係合手段である係合突起１２６が形成してあり、また、ボタン本体１２８には、一側に位置する元側ばね受け部１２９Ａと他側に位置する先側ばね受け部１２９Ｂとが形成してある。
【０１３８】
また、前記プッシュボタン保持部材１１６は、部材本体１３０を有しており、この部材本体１３０は、天井部１３０ａのバンド長手方向の両端部には下方に向けて折曲げ部１３１Ａ、１３１Ｂが形成してあって、天井部１３０ａと折曲げ部１３１Ａ、１３１Ｂとで囲まれ、且つその底部にバンド短手方向に沿う係合用開口部１３１Ｃを有するバンド短手方向に沿った断面略矩形の空間としてのボタン挿入孔Ｈが形成されている。そして、前記部材本体１３０の天井部１３０ａの中央部には孔部１３２が形成してある。
【０１３９】
そして、前記中留枠１１０のプッシュボタン保持部材装着部には、一方及び他方のプッシュボタン１１４、１１５をスプリング１２１と共に組み込んだプッシュボタン保持部材１１６とスライド板１１７とが重ねた状態で挿入し、中留枠１１０の座面部１１２Ａに蓋体１１８を固着して、この蓋体１１８でプッシュボタン保持部材１１６が保持してある。
【０１４０】
そして、一方及び他方のプッシュボタン１１４、１１５の係合突起１２６がスライド板１１７のラチェット歯１１９に係合しており、よって、一方のプッシュボタン１１４と他方のプッシュボタン１１５は、前記プッシュボタン保持部材１１６のボタン挿入孔Ｈ内に抜けないように係止され、同時に前記スライド板１１７は、プッシュボタン保持部材１１６と蓋体１１８との間の隙間内に抜けないように係止される。そして、一方及び他方のプッシュボタン１１４、１１５の前記係合部１２５は互いに対向していて、これらでボタン側係合部を構成している。また、プッシュボタン１１４、１１５の押し部１２７Ａが、ボタン挿入凹部１１２より外方に突出する。
【０１４１】
また、前記中留枠１１０の端部には表板１２２が枢着してあり、この表板１２２に中折れ部材側係合部である係合爪１２３が設けてあり、スライド板１１７の連結部１１７Ｃには一方の時計バンド１の端部の連かん駒１４が連結してあり、他方の時計バンド２の端部の連かん駒４４には連結用バー部材１２４が設けてある。
【０１４２】
次に、上記のように構成された時計バンド構造の装着及びこの装着の解除とバンド長さの微調整操作を説明する。
【０１４３】
まず、時計バンド構造を手首に沿わせた後に、連結用バー部材１２４を前記表板１２２に引っ掛けて、この表板１２２を、その枢着部１２２ａで折り畳んでこの表板１２２の係合爪１２３を前記孔部１１３を介してプッシュボタン１１４、１１５の係合部１２５に係合して、前記中留機構６を介して一方の時計バンド１と他方に時計バンド２とを連結して、前記時計バンド構造を手首に装着する。
【０１４４】
また、前記時計バンド構造を手首から外す場合には、一方及び他方のプッシュボタン１１４、１１５の押し部１２７Ａを親指と人差し指で挟んで内側に押すことにより、一方及び他方のプッシュボタン１１４、１１５を前記スプリング１２１に抗して移動させることにより前記係合部１２５間を開いて係合を解除し、前記表板１２２を外に開いて、連結用バー部材１２４を前記表板１２２より外して前記時計バンド構造を拡開する。
【０１４５】
また、前記スライド板１１７のラチェット歯１１９が、その係止側部１１９ａを他方の時計バンド２側に向けて形成してあるために、時計バンド構造を縮める方向にすなわち、時計バンド１側に向けて移動させると、前記スライド板１１７は移動して前記ラチェット歯１１９が一方及び他方のプッシュボタン１１４、１１５の係合突起１２６上を滑り、前記スライド板１１７の移動を止めると前記ラチェット歯１１９に係合突起１２６が係合して時計バンド構造を縮める方向にバンド長さの微調整（例えば約１．３ｍｍピッチで５ｍｍ程度）が行われる。
【０１４６】
また、時計バンド構造を伸ばす方向にバンド長さの微調整（例えば約１．３ｍｍピッチで５ｍｍ程度）を行う場合には、一方及び他方のプッシュボタン１１４、１１５を親指と人差し指で挟んで内側に押して、一方及び他方のプッシュボタン１１４、１１５を前記スプリング１２１に抗して移動させて、一方及び他方のプッシュボタン１１４、１１５の係合突起１２６を前記スライド板１１７のラチェット歯１１９から外し、この状態を保持したままで、時計バンド１と離間する方向に他方の時計バンド２を引っ張って、前記スライド板１１７を移動させ、所定の微調整後に一方及び他方のプッシュボタン１１４、１１５の押えを解除して一方及び他方の前記プッシュボタン１１４、１１５を前記スプリング１２１の付勢力により外方に移動して係合突起を前記スライド板１１７のラチェット歯１１９に係合させる。
【０１４７】
上記した実施例９によれば、プッシュボタン操作による中留機構６とバンド長さ微調整手段の一体化を図ることが可能になる。そして、前記バンド長さ微調整手段を、時計バンドの一端が固定され且つバンド長手方向に滑動可能なスライド板１１７を有し、このスライド板１１７に、前記プッシュボタン１１４、１１５の係合突起１２６が係脱可能に係合するラチェット歯１１９を設けて構成することにより、前記プッシュボタン１１４、１１５を操作して、または操作することなしに、係合突起１２６をラチェット歯１１９より外して、前記スライド板１１７を移動して所定の長さの調整後に、前記プッシュボタン１１４、１１５の係合突起１２６をラチェット歯１１９に係合しバンド長さの微調整を行なうことができる。
【０１４８】
すなわち、手首の太さが僅かに変化した時は、前記プッシュボタン１１４、１１５を押圧して段階的に微調整を行い、腕時計を手首から外すこと無く、最も適当な装着感を得ることができる。
【０１４９】
（実施例１０）
本発明に係わる装身具の中留構造の実施例１０を図２９乃至図３２に示す。
この実施例１０は、中留構造を装身具としてのブレスレッドに組み込んだものである。この場合、シングル・ロックタイプの中留構造を、装身具としてのブレスレッド１４０に組み込んである。すなわち、この中留構造における中留機構６のプッシュボタン保持部材１４４は、その底面部１４４ａのベルト長手方向の両端部には上方に向けて立ち壁部１５４Ａ、１５４Ｂが形成してあって、前記底面部１４４ａにはバンド短手方向に沿う開口部１５４Ｃが形成してある。そして、他の構成は、上記した実施例９の中留機構６と同構成にしてある。ブレスレッド１４０の一端部１４０Ａには、中留機構６のスライド板１１７の連結部１１７Ｃが連結してあり、ブレスレッド１４０の他端部１４０Ｂには連結用バー部材１２４が設けてある。
【０１５０】
したがって、ブレスレッド１４０の手首への装着は、まず、ブレスレッド１４０を手首に沿わせた後に、実施例９の場合と同様に、連結用バー部材１２４を前記表板１２２に引っ掛けて、この表板１２２を、その枢着部１２２ａで折り畳んでこの表板１２２の係合爪１２３を前記孔部１１３を介してプッシュボタン１１４、１１５の係合部１２５に係合してブレスレッド１４０の両端部を互いに連結して行われる。
【０１５１】
また、前記ブレスレッド１４０を手首から外す場合には、一方及び他方のプッシュボタン１１４、１１５の押し部１２７Ａを親指と人差し指で挟んで内側に押すことにより、一方及び他方のプッシュボタン１１４、１１５を前記スプリング１２１に抗して移動させることにより前記係合部１２５間を開いて係合を解除し、前記表板１２２を外に開いて、連結用バー部材１２４を前記表板１２２より外すことにより行われる。
【０１５２】
また、前記ブレスレッド１４０の長さ調整は、上記した実施例９の場合の調整操作と同様に行われる。したがって、手首にブレスレッド１４０を嵌めた状態で、長さの微調整を行ない、手首の太さに対応した長さのブレスレッド１４０にする。その後、手首の太さが僅かに変化した時は、プッシュボタン１１４、１１５を押圧して段階的に微調整を行い、ブレスレッド１４０を手首から外すことなく、最も適当な装着感を得ることができる。
【０１５３】
（実施例１１）
本発明に係わる装身具の中留構造の実施例１１を図３３乃至図３５に示す。
この実施例１０は、中留構造を装身具としてのベルト（ズボンベルト）１４１に組み込んだものである。
【０１５４】
この場合、中留機構６は、中留枠１６３と、一方及び他方のプッシュボタン１４２、１４３、プッシュボタン保持部材１４４と、スライド板１４５と、蓋体１４６と、中折れ部材である表板１５５とから大略構成してある。
【０１５５】
そして、中留枠１６３のバンド短手方向の両端部には互いに対向する端壁部１６３Ａ、１６３Ｂが形成してあり、これらの端壁部１６３Ａ、１６３Ｂには、その中央部に、切欠き部からなるボタン挿入凹部１４７が形成してあり、端壁部１６３Ａ、１６３Ｂ間がプッシュボタン保持部材装着部にしてある。また、中留枠１６３のの表面部には孔部１４８が設けてある。
【０１５６】
また、前記スライド板１４５の開口部１４５Ａの両側縁部にはベルト長手方向に、係合歯部を構成する複数のラチェット歯１４９が形成してあって、これらスライド板側係合手段を構成している。この場合、前記ラチェット歯１４９は、その係止側部１４９ａをベルト１４１とは反対側に向けて形成してある。また、スライド板１４５の右端部には、ピン孔１４５Ｂを有するピン連結部１４５Ｃが一対形成してある。
【０１５７】
一方及び他方の前記プッシュボタン１４２、１４３は、端部に押部１５０Ａを形成したボタン本体１５０を有しており、このボタン本体１５０の先部の一側には切欠き部１５１が形成してあって、この切欠き部１５１の先側に円弧形状の係合部１５２が、切欠き部１５１の元側にはボタン側係合手段である係合突起１５３が形成してあり、また、ボタン本体１５０には、一側に位置する元側ばね受け部１５３Ａと他側に位置する先側ばね受け部１５３Ｂとが形成してある。
【０１５８】
また、前記プッシュボタン保持部材１４４は、その底面部１４４ａのベルト長手方向の両端部には上方に向けて立ち壁部１５４Ａ、１５４Ｂが形成してあって、前記底面部１４４ａにはバンド短手方向に沿う開口部１５４Ｃが形成してある。
【０１５９】
また、前記表板１５５は、その表面部１５６のベルト短手方向の両側に側壁部１５７Ａ、１５７Ｂを形成し、これらの側壁部１５７Ａ、１５７Ｂの一端部を延長してこれらの延長部１５８の端部を取付部１５８Ｂにして、表面部１５６の裏側に中折れ部材側係合部である突棒１５９を突設したものである。そして、側壁部１５７Ａ、１５７Ｂから延長部１５８にかけて切欠き部１５８Ａが形成してある。また、前記蓋体１４６はそのベルト短手方向の両端部に突出部１４６Ａを有している。
【０１６０】
そして、前記中留枠１６３のプッシュボタン保持部材装着部には、一方及び他方のプッシュボタン１４２、１４３をスプリング１６４と共に組み込んだプッシュボタン保持部材１４４とスライド板１４５とが重ねた状態で挿入してあり、中留枠１４２の下側には蓋体１４６が固着してあって、この蓋体１４６の突出部１４６Ａが中留枠１６３の端壁部１６３Ａ、１６３Ｂのボタン挿入凹部１４７に挿入してあり、ボタン挿入凹部１４７と突出部１４６Ａとでボタン挿入口が形成されていて、これらのボタン挿入口より一方及び他方のプッシュボタン１４２、１４３の押し部１５０Ａが突出している。
【０１６１】
そして、一方及び他方のプッシュボタン１４２、１４３の係合突起１５３がスライド板１４５のラチェット歯１４９に係合しており、よって、一方のプッシュボタン１４２と他方のプッシュボタン１４３は、前記プッシュボタン保持部材１４４内に抜けないように係止され、同時に前記スライド板１４５は、プッシュボタン保持部材１４４と蓋体１４６との間の隙間内に抜けないように係止される。そして、一方及び他方のプッシュボタン１４２、１４３の前記係合部１５２は互いに対向していて、これらでボタン側係合部を構成している。
【０１６２】
そして、前記中留枠１６３の端部には、前記表板１５５が、その延長部１５８の端部の取付部１５８Ｂで連結ピン１６１Ａにより回転可能に取り付けてあり、表板１５５の端縁部１５５ａと延長部１５８と中留枠１６３の端縁部１６３ａとで開口部１６０を形成している。
【０１６３】
そして、前記中留機構６のスライド板１４５の連結部１４５Ｃにはベルト１４１のベルト本体１４１Ａの基端部が連結ピン１６１で連結してあり、ベルト本体１４１Ａの先部には係止孔１６２が所定の間隔をおいて複数設けてある。また、スライド板１４６のラチェット歯１４９のベルト長手方向の長さＬ１は、ベルト本体１４１Ａの先部の係止孔１６２間の距離Ｌ２より小さくしてある。
【０１６４】
したがって、ベルト１４１を腰回りに装着する場合（ズボンをはく場合等）は、ベルト１４１を腰回りに沿わせて、ベルト１４１の先部を前記開口部１６０に挿通して前記表板１５５を中留枠１６３に重ねることにより、突棒１５９を前記係止孔１６２に挿入すると共に、前記孔部１４８を介してプッシュボタン１４２、１４３の係合部１５２に係合してベルト１４１を中留機構６に連結する。
【０１６５】
また、前記ベルト１４１を腰回り外す場合（ズボンを脱ぐ場合等）には、一方及び他方のプッシュボタン１４２、１４３の押し部１５０Ａを親指と人差し指で挟んで内側に押すことにより、一方及び他方のプッシュボタン１４２、１４３を前記スプリング１６４に抗して移動させることにより前記係合部１５２間を開いて突棒１５９との係合を解除し、前記表板１５５を外に開いて、突棒１５９を前記係止孔１６２より外すことにより行われる。
【０１６６】
また、前記ベルト１４１の長さ微調整は、上記した実施例９の場合の微調整操作と同様に行われる。したがって、ベルト１４１の装着後、腰回りの周長が変化した時は、長さの微調整を行えば良い。例えば食後などにように、腰回りが太くなった時は、ズボンに装着したままベルト１４１を僅かに緩めることができる。係止孔１６２を選択し直すのに比べ、より微妙な微調整が可能となる。
【０１６７】
【発明の効果】
以上説明したように、請求項１の発明に係わる装身具の中留構造によれば、装身具短手方向に突出したプッシュボタンのボタン側係合部と中折れ部材に設けた中折れ部材側係合部との係合により装身具を所定の長さに設定し且つ前記プッシュボタンの押圧操作により前記ボタン側係合部と前記中折れ部材側係合部との係合を解除する中留機構を備え、この中留機構に、装身具の長さの微調整を行う装身具長さ微調整手段を設けたことにより、プッシュボタン操作による中留機構と装身具長さ微調整手段の一体化を図ることが可能になる。そして、装身具長さ微調整手段により、装身具の長さの微調整を行なうことで、朝夕で僅かに異なる手首等の微妙な太さの変化にも追従して、装身具の長さを容易に微調整できる。
【０１６８】
また、請求項２の発明に係わる装身具の中留構造によれば、請求項１記載の装身具の中留構造において、前記装身具長さ微調整手段を、装身具の一端が固定され且つ装身具の長手方向に滑動可能なスライド板を有し、このスライド板に、前記プッシュボタンのボタン側係合手段が係脱可能に係合するスライド板側係合手段を設けて構成したことにより、プッシュボタン操作による中留機構とバンド長さ微調整手段の一体化を図ることが可能になる。そして、前記プッシュボタンを操作して、または操作することなしに、前記ボタン側係合手段をスライド板側係合手段より外して、前記スライド板を移動して所定の長さの調整後に、前記プッシュボタンの前記ボタン側係合手段をスライド板側係合手段に係合しバンド長さの微調整を行なうことで、朝夕で僅かに異なる手首等の微妙な太さの変化にも追従して、装身具の長さを容易に微調整できる。
【０１６９】
また、請求項３の発明に係わる装身具の中留構造によれば、請求項２記載の装身具の中留構造において、前記スライド板が前記プッシュボタンと重なり合うようにしたことにより、上記した請求項２の発明の効果と同様な効果を奏し得るばかりか、中留機構の装身具短手方向の幅、装身具長手方向の長さを短くすることができて、中留機構の小型化を図り得る。
【０１７０】
また、請求項４の発明に係わる装身具の中留構造によれば、請求項２又は請求項３記載の装身具の中留構造において、前記プッシュボタンの前記ボタン側係合手段がスライド板側に突出する係合突起であり、前記スライド板側係合手段が、前記スライド板に設けた開口部の装身具長手方向に沿った少なくとも一辺の縁部に形成されて前記係合突起が係脱可能に係合する係合歯部であることにより、上記した請求項２の発明の効果と同様な効果を奏し得るばかりか、前記プッシュボタンの係合突起と前記スライド板の係合歯部との係合が、前記プッシュボタンと前記スライド板の中留機構からの抜け止め、及び装身具長さ微調整における係合を兼ねるようになり、前記スライド板以外に何ら部品点数を増やすことなく、安価に、プッシュボタン操作による中留機構に装身具長さ微調整手段を一体化することができる。
【０１７１】
また、前記スライド板の係合歯部の歯形状を細かくすればするほど、前記スライド板をわずかに動かしても、その都度前記係合歯部に係合できるので、より微妙な装身具長さ微調整ができる。そして、前記スライド板の係合歯部の歯形状は、機械加工の限界内でいくらでも細かくすることができるので、プッシュボタン操作による中留機構に一体化された装身具長さ微調整手段は、朝夕でわずかに変わるユーザーの手首の太さの変化にも追従する、極めてわずかな微調整が可能となる。
【０１７３】
また、請求項５の発明に係わる装身具の中留構造によれば、請求項２又は請求項３又は請求項４記載の装身具の中留構造において、前記プッシュボタンの前記ボタン側係合手段が、前記プッシュボタンに形成したねじ孔に係合突起形成体を螺合して、この係合突起形成体の係合突起部をスライド板側に突出させて前記係合突起とした構成であることにより、上記した請求項２の発明の効果と同様な効果を奏し得るばかりか、係合突起形成体をプッシュボタンのねじ孔に捩じ込んで、この係合突起形成体の係合突起部をスライド板側に突出させて係合突起とすることが可能になって、後組みが可能になる。このために、係合突起の形成を削り出しや圧入で行うものに比べて作業性が良好になり、コストを低減することが可能になるし、また、係合突起の取り外しが可能になる。
【０１７４】
また、請求項６の発明に係わる装身具の中留構造によれば、請求項５記載の装身具の中留構造において、中留枠に組み込まれて前記プッシュボタンを装身具短手方向から挿入して移動可能に保持するプッシュボタン保持部材の面部に挿入孔を設けて、前記係合突起形成体を前記挿入孔から前記プッシュボタンの前記ねじ孔に螺合するようにしたことにより、上記した請求項５の発明の効果と同様な効果を奏し得るばかりか、中留枠にスライド板を挿入し、中留枠にプッシュボタン保持部材を組み付け、中留枠の側方からプッシュボタンを挿入した後に、すなわち、中留枠に、スライド板、プッシュボタン保持部材及びプッシュボタンを組み付けた後に、挿入孔からプッシュボタンのねじ孔に、係合突起を形成すべく係合突起形成体を螺合して、この係合突起形成体を組み込むことが可能になり、特に、プッシュボタンをプッシュボタン保持部材の装身具短手方向から挿入することが可能になって、中留機構の組立てが簡単になり、作業性が良好になり、コストを低減することが可能になる。
【０１７５】
また、請求項７の発明に係わる装身具の中留構造によれば、請求項４又は請求項５又は請求項６記載の装身具の中留において、構造前記係合歯部の歯形状が、平面視でラチェット歯、山歯、谷歯、方形歯のいずれか１つであることにより、上記した請求項４の発明の効果と同様な効果を奏し得るばかりか、歯形状を選択することにより、ユーザーの用途に応じて装身具長さ微調整手段を種々様々に変化させることができる。
【０１７６】
すなわち、係合歯部の歯形状をラチェット歯にすると、スライド板は、プッシュボタンとの係合により一方向にはロックされるが、他方向には自由に動けるようになる。よって、例えば、装身具を伸ばしたい場合には、プッシュボタンを押圧しながら装身具を引っ張り、スライド板を移動させて装身具を伸ばすことができるように、かつ装身具を縮めたい場合には、プッシュボタンを操作することなく、装身具を押し込んで縮めることができるように設定することができる。すると、ユーザーが前記プッシュボタンを操作しない限り、装身具は伸びることがないので、ユーザーの意図に反して不用意に装身具が伸びて手首より脱落することがないと共に、装身具を縮めたい場合は、装身具を押し込むだけで簡単に縮めることができるようになる。
【０１７７】
また、前記係合歯部の歯形状を山歯、谷歯のいずれかにすると、装身具を引っ張る、あるいは押し込むことにより、プッシュボタンを何ら操作することなくスライド板を移動させることができるので、装身具を伸ばす、あるいは縮める場合双方とも、容易に装身具長さの微調整ができるようになる。
【０１７８】
また、前記係合歯部の歯形状が方形歯にすると、装身具を伸ばす、あるいは縮める場合双方とも、プッシュボタンを押圧させるように設定することができる。
【０１７９】
また、前記係合歯部の歯形状が方形歯である場合には、一方及び他方のプッシュボタンに設けられる一方及び他方の係合突起は一方及び他方の方形歯に係合する四角形状にすることにより、これら一方及び他方の係合突起は点対称を成し、一方及び他方のプッシュボタンは、同じ形状になるために一種類で共用できるため、部品点数を減らして安価に製造できる。
【０１８０】
また、請求項８の発明に係わる装身具の中留構造によれば、請求項４又は請求項５又は請求項６記載の装身具の中留構造において、前記係合歯部を、互いに向きが逆のラチェット歯をそれぞれ装身具長手方向に複数並べて構成したことにより、上記した請求項５の発明の効果と同様な効果を奏し得るばかりか、前記ラチェット歯の歯の向きを逆にすれば、装身具を縮めたい場合にのみ、プッシュボタンを押圧させるように設定することもできる。
【０１８１】
また、前記係合歯部を、互いに向きが逆のラチェット歯をそれぞれ装身具長手方向に複数並べて構成すれば、一方のプッシュボタンを押圧すれば、装身具を伸ばす（あるいは縮める）ことができ、他方のプッシュボタンを押圧すれば、装身具を縮める（あるいは伸ばす）ことができるようになり、ユーザーが、一方及び他方のプッシュボタンのいずれかを選んで押圧し、装身具を伸ばしたり縮めたりするように設定することができる。
【０１８２】
さらに、一方及び他方の係合突起は点対称になって、一方及び他方のプッシュボタンは同じ形状になり、一種類で共用できるため、部品点数を減らして安価に製造できる。
【０１８３】
また、請求項９の発明に係わる装身具の中留構造によれば、請求項１又は請求項２又は請求項３又は請求項４又は請求項５又は請求項６又は請求項７又は請求項８記載の装身具の中留構造において、前記中留機構が、両方のプッシュボタンの係合突起がスライド板の係合歯部に噛み合うようにした両プッシュ中留構成であることにより、上記した請求項１の発明の効果と同様な効果を奏し得るばかりか、プッシュボタン操作による中留機構に装身具長さ微調整手段を一体化することができ、かつ装身具長さの微調整を容易に行うことができる。
【０１８４】
また、請求項１０の発明に係わる装身具の中留構造によれば、請求項１又は請求項２又は請求項３又は請求項４又は請求項５又は請求項６又は請求項７又は請求項８記載の装身具の中留構造において、前記中留機構が、片方のプッシュボタンの係合突起がスライド板の係合歯部に噛み合うようにした両プッシュ中留構成であることにより、上記した請求項１の発明の効果と同様な効果を奏し得るばかりか、プッシュボタン操作による中留機構に装身具長さ微調整手段を一体化することができ、かつ装身具長さの微調整を容易に行うことができる。
【０１８５】
また、請求項１１の発明に係わる装身具の中留構造によれば、請求項１又は請求項２又は請求項３又は請求項４又は請求項５又は請求項６又は請求項７又は請求項８記載の装身具の中留構造において、前記中留機構が、片方のプッシュボタンのみの係合突起がスライド板の係合歯部に噛み合うようにした片プッシュ中留構成であることにより、上記した請求項１の発明の効果と同様な効果を奏し得るばかりか、プッシュボタン操作による中留機構に装身具長さ微調整手段を一体化することができ、かつ装身具長さの微調整を容易に行うことができる。
【０１８６】
また、請求項１２の発明に係わる装身具の中留構造によれば、請求項１又は請求項２又は請求項３又は請求項４又は請求項５又は請求項６又は請求項７又は請求項８又は請求項９又は請求項１０又は請求項１１記載の装身具の中留構造において、前記中折れ部材が複数折れ構成であることにより、上記した請求項１の発明の効果と同様な効果を奏し得るばかりか、プッシュボタン操作による中留機構と装身具長さ微調整手段の一体化を実現することができ、従来の中留機構とはほぼ同じ製品化が可能になる。
【０１８７】
また、請求項１３の発明に係わる装身具の中留構造によれば、請求項１又は請求項２又は請求項３又は請求項４又は請求項５又は請求項６又は請求項７又は請求項８又は請求項９又は請求項１０又は請求項１１記載の装身具の中留構造において、前記中折れ部材が、観音開き構成であることにより、上記した請求項１の発明の効果と同様な効果を奏し得るばかりか、プッシュボタン操作による中留機構と装身具長さ微調整手段の一体化を実現することができ、従来の中留機構とはほぼ同じ製品化が可能になる。
【０１８８】
また、請求項１４の発明に係わる装身具の中留構造によれば、請求項１記載又は請求項２又は請求項３又は請求項４又は請求項５又は請求項６又は請求項７又は請求項８又は請求項９又は請求項１０又は請求項１１記載の装身具の中留構造において、前記中留機構をシングル・ロックタイプの装身具構成に設けたことにより、上記した請求項２の発明の効果と同様な効果を奏し得るばかりか、従来の中留機構とはほぼ同じ製品化が可能になる。
【０１８９】
また、請求項１５の発明に係わる装身具の中留構造によれば、中留枠と共にベルトが挿通する開口部を形成し且つこの開口部に挿入されたベルトの係止孔に係脱可能に係止する突棒を有する表板を備え且つベルト短手方向に突出したプッシュボタンのボタン側係合部と前記突棒との係合により前記ベルトを所定の長さに設定し且つ前記プッシュボタンの押圧操作により前記ボタン側係合部と前記突棒との係合を解除する中留機構と、前記ベルトの一端が固定され且つベルトの長手方向に滑動可能なスライド板を有し、このスライド板に、前記プッシュボタンのボタン側係合手段が係脱可能に係合するスライド板側係合手段を設けて構成した長さ微調整手段とを備えたことにより、ベルトを腰回りに沿わせて、このベルトの先部を前記開口部に挿通して表板を中留枠に重ねることにより、突棒をベルトの係止孔に係脱可能に係止すると共に、この突棒をボタン側係合部に係合してベルトを中留機構に連結してベルトを所定の長さに設定し、また、ベルトを外す場合には、プッシュボタンの押圧操作によりボタン側係合部と突棒との係合を解除し、前記表板を拡開して突棒をベルトの係止孔より外して行う。
【０１９０】
また、前記プッシュボタンを操作して、または操作することなしに、前記ボタン側係合手段をスライド板側係合手段より外して、前記スライド板を移動してベルトの所定の長さの調整後に、前記プッシュボタンの前記ボタン側係合手段をスライド板側係合手段に係合しベルト長さの微調整を行なうことで、例えば、食後などのように、腰回りが太くなったとき、ズボンを装着したまま、ベルトを僅かに緩めることができる。
【０１９１】
このように、プッシュボタン操作による中留機構とベルト長さ微調整手段の一体化を図ることが可能になるし、朝夕で僅かに異なる腰回りの微妙な太さの変化にも追従して、装身具の長さを容易に微調整できる。
【０１９２】
また、請求項１６の発明に係わる装身具の中留構造によれば、請求項１５記載の装身具の中留構造において、前記プッシュボタンの前記ボタン側係合手段がスライド板側に突出する係合突起であり、前記スライド板側係合手段が、前記スライド板に設けた開口部の装身具長手方向に沿った少なくとも一辺の縁部に形成されて前記係合突起が係脱可能に係合する係合歯部であることにより、上記した請求項１５の発明の効果と同様な効果を奏し得る。
【図面の簡単な説明】
【図１】本発明に係わる装身具の中留構造の実施例１の一部省略した斜視図である。
【図２】同中留構造の分解状態の斜視図である。
【図３】同中留構造の装身具長手方向に沿う断面図である。
【図４】図３のＡ−Ａ線に沿う断面図である。
【図５】（１）は同中留構造の中留枠の表側から見た斜視図である。
（２）は同中留枠の裏側から見た斜視図である。
【図６】同中留構造のプッシュボタン保持部材の斜視図である。
【図７】同中留構造のスライド板の斜視図である。
【図８】同中留構造のプッシュボタン組立体の斜視図である。
【図９】本発明に係わる装身具の中留構造の実施例２の装身具長手方向に沿う断面図である。
【図１０】図９のＢ−Ｂ線に沿う断面図である。
【図１１】同中留構造のプッシュボタン保持部材の斜視図である。
【図１２】同中留構造のプッシュボタン組立体の一部省略した斜視図である。
【図１３】本発明に係わる装身具の中留構造の実施例３の分解状態の斜視図である。
【図１４】本発明に係わる装身具の中留構造の実施例４の分解状態の斜視図である。
【図１５】本発明に係わる装身具の中留構造の実施例５の斜視図である。
【図１６】同中留構造の分解状態の斜視図である。
【図１７】同中留構造におけるプッシュボタン保持部材とプッシュボタンとの分解状態の斜視図である。
【図１８】同中留構造の装身具長手方向の縦断面図である。
【図１９】図１８のＣ−Ｃ線に沿う断面図である。
【図２０】同中留構造の装身具短手方向の一部断面図である。
【図２１】スライド板側係合手段としての山歯を有するスライド板とプッシュボタンの係合突起との係合状態の平面図である。
【図２２】ライド板側係合手段としての互いに逆向きのラチェット歯を有するスライド板とプッシュボタンの係合突起との係合状態の平面図である。
【図２３】スライド板側係合手段としての方形歯を有するスライド板とプッシュボタンの係合突起との係合状態の平面図である。
【図２４】本発明に係わる装身具の中留構造の実施例６の分解状態の斜視図である。
【図２５】本発明に係わる装身具の中留構造の実施例７の分解状態の斜視図である。
【図２６】本発明に係わる装身具の中留構造の実施例８の分解状態の斜視図である。
【図２７】本発明に係わる装身具の中留構造の実施例９の分解状態の斜視図である。
【図２８】同中留構造の装身具長手方向の縦断面図である。
【図２９】本発明に係わる装身具の中留構造の実施例１０の結合状態の斜視図である。
【図３０】同中留構造の切り離し状態の斜視図である。
【図３１】同中留構造の装身具長手方向の縦断面図である。
【図３２】図３１のＤ−Ｄ線に沿う断面図である。
【図３３】本発明に係わる装身具の中留構造の実施例１１の斜視図である。
【図３４】同中留構造の装身具長手方向の縦断面図である。
【図３５】図３４のＥ−Ｅ線に沿う断面図である。
【図３６】従来の装身具における長さ調整の説明のためのバンドの斜視図である。
【図３７】従来の装身具の中留構造の斜視図である。
【符号の説明】
１  時計バンド
２  時計バンド
５  中折れ部材
６  中留機構
９  係合爪（中折れ部材側係合部）
１８  スライド板
１９、２０  プッシュボタン
３７  ラチェット歯（スライド板側係合手段）
４０  係合部（ボタン側係合部）
４１  係合突起（ボタン側係合手段）
【図１】
0003710872.tif 000002
【図２】
0003710872.tif 000003
【図３】
0003710872.tif 000004
【図４】
0003710872.tif 000005
【図５】
0003710872.tif 000006
【図６】
0003710872.tif 000007
【図７】
0003710872.tif 000008
【図８】
0003710872.tif 000009
【図９】
0003710872.tif 000010
【図１０】
0003710872.tif 000011
【図１１】
0003710872.tif 000012
【図１２】
0003710872.tif 000013
【図１３】
0003710872.tif 000014
【図１４】
0003710872.tif 000015
【図１５】
0003710872.tif 000016
【図１６】
0003710872.tif 000017
【図１７】
0003710872.tif 000018
【図１８】
0003710872.tif 000019
【図１９】
0003710872.tif 000020
【図２０】
0003710872.tif 000021
【図２１】
0003710872.tif 000022
【図２２】
0003710872.tif 000023
【図２３】
0003710872.tif 000024
【図２４】
0003710872.tif 000025
【図２５】
0003710872.tif 000026
【図２６】
0003710872.tif 000027
【図２７】
0003710872.tif 000028
【図２８】
0003710872.tif 000029
【図２９】
0003710872.tif 000030
【図３０】
0003710872.tif 000031
【図３１】
0003710872.tif 000032
【図３２】
0003710872.tif 000033
【図３３】
0003710872.tif 000034
【図３４】
0003710872.tif 000035
【図３５】
0003710872.tif 000036
【図３６】
0003710872.tif 000037
【図３７】
0003710872.tif 000038